(57)【要約】  サービス処理方法およびサービス処理装置が提供される。本方法は、IMSコア・ネットワーク・デバイスにより、UEにVoLTEサービスをセットアップするよう求める要求メッセージを受信するステップと、IMSコア・ネットワーク・デバイスにより、VoLTEサービスのセットアップを再試行せずにVoLTEサービスをセットアップできない場合にUEのCSFB音声サービスを直接トリガするように、VoLTEサービスをセットアップできないと判断した後にUEのCSFB音声サービスをトリガするステップと、を含み、それにより、ユーザ機器の音声サービスの通話完了率が上がり、UEによって要求された音声サービスおよび付加サービスが保証され、良好なユーザ体験が保証され、UEがVoLTEサービスを使用して接続することができず、処理時間が無駄になるという技術的問題が回避される。
2019517757.tif 000002
【特許請求の範囲】
【請求項１】
サービス処理方法であって、
インターネット・プロトコル・マルチメディア・サブシステムIMS・コア・ネットワーク・デバイスにより、パケット交換PSドメインでユーザ機器UEにボイス・オーバ・ロング・ターム・エボリューションVoLTE・サービスをセットアップするよう求める要求を受信するステップと、
前記IMSコア・ネットワーク・デバイスにより、前記PSドメインで前記VoLTEサービスをセットアップできないと判断した後に、前記UEの回線交換フォールバックCSFBサービスをトリガするステップと、
を含む方法。
【請求項２】
前記IMSコア・ネットワーク・デバイスが、前記PSドメインで前記VoLTEサービスをセットアップできないことを、
前記IMSコア・ネットワーク・デバイスが、前記VoLTEサービスと関連付けられた少なくとも1つの付加サービスを取得し、前記少なくとも1つの付加サービスが利用できないと判断した場合、
前記IMSコア・ネットワーク・デバイスが、前記UEが現在位置しているサービスネットワークが前記VoLTEサービスをサポートしていないと判断した場合、および
前記IMSコア・ネットワーク・デバイスが、前記PSドメインでの前記VoLTEサービスの音声ベアラのセットアップが失敗したと判断した場合、
のうちの少なくとも1つが存在すると判断することによって判断する、請求項1に記載の方法。
【請求項３】
前記IMSコア・ネットワーク・デバイスが、前記VoLTEサービスと関連付けられた少なくとも1つの付加サービスを取得することが、
前記IMSコア・ネットワーク・デバイスにより、前記UEの加入情報に基づいて、前記VoLTEサービスと関連付けられた前記少なくとも1つの付加サービスを取得すること、または
前記IMSコア・ネットワーク・デバイスにより、前記UEによって送信された付加サービスセットアップ要求メッセージから、前記VoLTEサービスと関連付けられた前記少なくとも1つの付加サービスを取得すること、
を含む、請求項2に記載の方法。
【請求項４】
前記IMSコア・ネットワーク・デバイスが、前記UEが現在位置しているサービスネットワークが前記VoLTEサービスをサポートしていないと判断することが、
前記IMSコア・ネットワーク・デバイスにより、前記UEが位置している在圏公衆陸上移動体網VPLMNでVoLTEサービス機能がアクティブ化されていないか、または前記UEが位置している前記VPLMNとホーム公衆陸上移動体網HPLMNとの間でVoLTEサービスローミング協定が締結されていないと判断すること、
を含む、請求項2に記載の方法。
【請求項５】
前記IMSコア・ネットワーク・デバイスが、前記UEが位置している前記在圏公衆陸上移動体網VPLMNで前記VoLTEサービス機能がアクティブ化されていないことを、
前記VPLMNが、VoLTEサービス機能がアクティブ化されているネットワークのホワイトリストに記載されていない場合、
前記VPLMNが、前記VoLTEサービス機能がアクティブ化されていないネットワークのブラックリストに記載されている場合、
前記VPLMNと前記ホーム公衆陸上移動体網HPLMNとの間でVoLTEサービスローミング協定が締結されていない場合、
前記VPLMNのプロキシ呼セッション制御機能P−CSCFが、前記VoLTEサービス機能をサポートしているネットワークのホワイトリストに記載されていない場合、および
前記VPLMNの前記P−CSCFが、前記VoLTEサービス機能をサポートしていないネットワークのブラックリストに記載されている場合、
のうちの少なくとも1つが存在すると判断することによって判断する、請求項4に記載の方法。
【請求項６】
前記IMSコア・ネットワーク・デバイスが、前記PSドメインでの前記VoLTEサービスの音声ベアラのセットアップが失敗したと判断することが、
前記IMSコア・ネットワーク・デバイスにより、再認証要求RARメッセージまたはセッション打切り要求ASRメッセージを受信することと、
前記RARメッセージまたは前記ASRメッセージが、ベアラリソースの不十分性を指示するのに使用される指示情報またはリソース割り振り失敗を指示するのに使用される指示情報を搬送していると判断した後に、前記IMSコア・ネットワーク・デバイスにより、前記PSドメインでの前記VoLTEサービスの音声ベアラの前記セットアップが失敗したと判断することと、
を含む、請求項2に記載の方法。
【請求項７】
前記RARメッセージまたは前記ASRメッセージが、前記VoLTEサービスの音声ベアラの前記セットアップの失敗の原因値を含む、請求項6に記載の方法。
【請求項８】
前記VoLTEサービスの音声ベアラの前記セットアップの失敗のものである、前記RARメッセージまたは前記ASRメッセージに含まれる前記原因値が、前記UEが前記PSドメインの弱いカバレッジエリア内にあることである、請求項7に記載の方法。
【請求項９】
前記IMSコア・ネットワーク・デバイスにより、前記UEのCSFBサービスをトリガする前記ステップの前に、前記方法が、
前記IMSコア・ネットワーク・デバイスにより、前記UEが回線交換ドメインに登録されていると判断するステップ、
をさらに含む、請求項1から8のいずれか一項に記載の方法。
【請求項１０】
前記IMSコア・ネットワーク・デバイスにより、前記UEが回線交換ドメインに登録されていると判断する前記ステップが、
前記IMSコア・ネットワーク・デバイスにより、ホーム加入者サーバHSSまたはホーム・ロケーション・レジスタHLRから、前記UEが回線交換CSネットワークに登録した情報を取得するステップと、
前記IMSコア・ネットワーク・デバイスにより、前記UEが前記CSネットワークに登録した前記情報に基づいて、前記UEが前記回線交換ドメインに登録されていると判断するステップと、
を含む、請求項9に記載の方法。
【請求項１１】
前記UEが前記VoLTEサービスの発呼側UEであり、
前記IMSコア・ネットワーク・デバイスにより、前記UEのCSFBサービスをトリガする前記ステップが、
前記IMSコア・ネットワーク・デバイスにより、前記発呼側UEに第1のメッセージを送信するステップであって、前記第1のメッセージが前記発呼側UEをトリガして発呼側回線交換フォールバックCSFBサービスを開始させるのに使用される、ステップ、
を含む、請求項1から10のいずれか一項に記載の方法。
【請求項１２】
前記第1のメッセージが第1の原因値を含み、前記第1の原因値が前記発呼側UEに、前記VoLTEサービスが利用できない具体的な理由を通知するのに使用される、請求項11に記載の方法。
【請求項１３】
前記IMSコア・ネットワーク・デバイスにより、前記発呼側UEに第1のメッセージを送信する前記ステップの前に、前記方法が、
前記IMSコア・ネットワーク・デバイスにより、前記発呼側UEに対応する着呼側UEが呼び出し準備状態にあると判断するステップ、
をさらに含む、請求項11に記載の方法。
【請求項１４】
前記IMSコア・ネットワーク・デバイスが、発呼側のサービング呼セッション制御機能I／S−CSCF、発呼側のサービス集中および継続アプリケーションサーバSCC AS、または発呼側のプロキシ呼セッション制御機能P−CSCFである、請求項11から13のいずれか一項に記載の方法。
【請求項１５】
前記UEが前記VoLTEサービスの着呼側UEであり、
前記IMSコア・ネットワーク・デバイスにより、前記UEのCSFBサービスをトリガする前記ステップが、
前記IMSコア・ネットワーク・デバイスにより、着呼側ドメイン選択デバイスに第2のメッセージを送信するステップであって、前記第2のメッセージが、前記着呼側ドメイン選択デバイスが前記着呼側UEの着呼側回線交換フォールバックCSFBサービスをトリガするように、前記PSドメインでの着呼側サービスセットアップが失敗したことを指示するのに使用される、ステップ、
をさらに含む、請求項1から10のいずれか一項に記載の方法。
【請求項１６】
前記第2のメッセージが第2の原因値を含み、前記第2の原因値が前記着呼側ドメイン選択デバイスに、前記PSドメインでの前記着呼側サービスセットアップが失敗した具体的な理由を通知するのに使用される、請求項15に記載の方法。
【請求項１７】
前記IMSコア・ネットワーク・デバイスにより、着呼側ドメイン選択デバイスに第2のメッセージを送信する前記ステップの前に、前記方法が、
前記IMSコア・ネットワーク・デバイスにより、前記着呼側UEが呼び出し準備状態にあると判断するステップ、
をさらに含む、請求項15に記載の方法。
【請求項１８】
前記IMSコア・ネットワーク・デバイスが、着呼側のサービング呼セッション制御機能I／S−CSCF、着呼側のサービス集中および継続アプリケーションサーバSCC AS、または着呼側のプロキシ呼セッション制御機能P−CSCFである、請求項15から17のいずれか一項に記載の方法。
【請求項１９】
前記IMSコア・ネットワーク・デバイスにより、着呼側ドメイン選択デバイスに第2のメッセージを送信する前記ステップが、
前記着呼側の前記P−CSCFにより、前記着呼側の前記I／S−CSCFが前記第2のメッセージを前記着呼側ドメイン選択デバイスに転送するように、前記着呼側の前記I／S−CSCFに前記第2のメッセージを送信するステップ、
を含む、請求項18に記載の方法。
【請求項２０】
インターネット・プロトコル・マルチメディア・サブシステムIMS・コア・ネットワーク・デバイスであって、前記IMSコア・ネットワーク・デバイスが、通信インターフェースと、プロセッサとを含み、
前記通信インターフェースが、パケット交換PSドメインでユーザ機器UEにボイス・オーバ・ロング・ターム・エボリューションVoLTE・サービスをセットアップするよう求める要求メッセージを受信するように構成され、
前記プロセッサが、前記PSドメインで前記VoLTEサービスをセットアップできないと判断した後に、前記UEの回線交換フォールバックCSFBサービスをトリガするように構成される、IMSコア・ネットワーク・デバイス。
【請求項２１】
前記プロセッサが、前記PSドメインで前記VoLTEサービスをセットアップできないことを、
前記VoLTEサービスと関連付けられた少なくとも1つの付加サービスが取得され、前記少なくとも1つの付加サービスが利用できないと判断された場合、
前記UEが現在位置しているサービスネットワークが前記VoLTEサービスをサポートしていないと判断された場合、および
前記PSドメインでの前記VoLTEサービスの音声ベアラのセットアップが失敗したと判断された場合、
のうちの少なくとも1つが存在すると判断することによって判断するように特に構成される、請求項20に記載のIMSコア・ネットワーク・デバイス。
【請求項２２】
前記プロセッサが、前記VoLTEサービスと関連付けられた前記少なくとも1つの付加サービスを、
前記UEの加入情報に基づいて、前記VoLTEサービスと関連付けられた前記少なくとも1つの付加サービスを取得すること、または
前記UEによって送信された付加サービスセットアップ要求メッセージから、前記VoLTEサービスと関連付けられた前記少なくとも1つの付加サービスを取得すること、
によって取得する、請求項21に記載のIMSコア・ネットワーク・デバイス。
【請求項２３】
前記プロセッサが、前記UEが現在位置している前記サービスネットワークが前記VoLTEサービスをサポートしていないことを、前記UEが位置している在圏公衆陸上移動体網VPLMNでVoLTEサービス機能がアクティブ化されていないか、または前記UEが位置している前記VPLMNとホーム公衆陸上移動体網HPLMNとの間でVoLTEサービスローミング協定が締結されていないと判断すること、によって判断するように特に構成される、請求項21に記載のIMSコア・ネットワーク・デバイス。
【請求項２４】
前記プロセッサが、前記UEが位置している前記在圏公衆陸上移動体網VPLMNで前記VoLTEサービス機能がアクティブ化されていないことを、
前記VPLMNが、VoLTEサービス機能がアクティブ化されているネットワークのホワイトリストに記載されていない場合、
前記VPLMNが、前記VoLTEサービス機能がアクティブ化されていないネットワークのブラックリストに記載されている場合、
前記VPLMNと前記ホーム公衆陸上移動体網HPLMNとの間でVoLTEサービスローミング協定が締結されていない場合、
前記VPLMNのプロキシ呼セッション制御機能P−CSCFが、前記VoLTEサービス機能をサポートしているネットワークのホワイトリストに記載されていない場合、および
前記VPLMNの前記P−CSCFが、前記VoLTEサービス機能をサポートしていないネットワークのブラックリストに記載されている場合、
のうちの少なくとも1つが存在すると判断することによって判断するように特に構成される、請求項23に記載のIMSコア・ネットワーク・デバイス。
【請求項２５】
前記プロセッサが、前記PSドメインでの前記VoLTEサービスの音声ベアラの前記セットアップが失敗したことを、
前記通信インターフェースを使用して再認証要求RARメッセージまたはセッション打切り要求ASRメッセージを受信することと、
前記RARメッセージまたは前記ASRメッセージが、ベアラリソースの不十分性を指示するのに使用される指示情報またはリソース割り振り失敗を指示するのに使用される指示情報を搬送していると判断された後に、前記PSドメインでの前記VoLTEサービスの音声ベアラの前記セットアップが失敗したと判断することと、
によって判断するように特に構成される、請求項21に記載のIMSコア・ネットワーク・デバイス。
【請求項２６】
前記RARメッセージまたは前記ASRメッセージが、前記VoLTEサービスの音声ベアラの前記セットアップの失敗の原因値を含む、請求項25に記載のIMSコア・ネットワーク・デバイス。
【請求項２７】
前記VoLTEサービスの音声ベアラの前記セットアップの失敗のものである、前記RARメッセージまたは前記ASRメッセージに含まれる前記原因値が、前記UEが前記PSドメインの弱いカバレッジエリア内にあることである、請求項26に記載のIMSコア・ネットワーク・デバイス。
【請求項２８】
前記UEの前記CSFBサービスをトリガする前に、前記プロセッサが、
前記UEが回線交換ドメインに登録されていると判断する、
ようにさらに構成される、請求項20から27のいずれか一項に記載のIMSコア・ネットワーク・デバイス。
【請求項２９】
前記プロセッサが、前記UEが前記回線交換ドメインに登録されていることを、
ホーム加入者サーバHSSまたはホーム・ロケーション・レジスタHLRから、前記UEが回線交換CSネットワークに登録した情報を取得することと、
前記UEが前記CSネットワークに登録した前記情報に基づいて、前記UEが前記回線交換ドメインに登録されていると判断することと、
によって判断するように特に構成される、請求項28に記載のIMSコア・ネットワーク・デバイス。
【請求項３０】
前記UEが前記VoLTEサービスの発呼側UEであり、
前記プロセッサが、前記UEの前記CSFBサービスを、
前記通信インターフェースを使用して前記発呼側UEに第1のメッセージを送信することであって、前記第1のメッセージが前記発呼側UEをトリガして発呼側回線交換フォールバックCSFBサービスを開始させるのに使用される、こと、
によってトリガするように特に構成される、請求項20から29のいずれか一項に記載のIMSコア・ネットワーク・デバイス。
【請求項３１】
前記第1のメッセージが第1の原因値を含み、前記第1の原因値が前記発呼側UEに、前記VoLTEサービスが利用できない具体的な理由を通知するのに使用される、請求項30に記載のIMSコア・ネットワーク・デバイス。
【請求項３２】
前記通信インターフェースを使用して前記発呼側UEに前記第1のメッセージを送信する前に、前記プロセッサが、
前記発呼側UEに対応する着呼側UEが呼び出し準備状態にあると判断する、
ようにさらに構成される、請求項30に記載のIMSコア・ネットワーク・デバイス。
【請求項３３】
前記IMSコア・ネットワーク・デバイスが、発呼側のサービング呼セッション制御機能I／S−CSCF、発呼側のサービス集中および継続アプリケーションサーバSCC AS、または発呼側のプロキシ呼セッション制御機能P−CSCFである、請求項30から32のいずれか一項に記載のIMSコア・ネットワーク・デバイス。
【請求項３４】
前記UEが前記VoLTEサービスの着呼側UEであり、
前記プロセッサが、前記UEの前記CSFBサービスを、
前記通信インターフェースを使用して着呼側ドメイン選択デバイスに第2のメッセージを送信することであって、前記第2のメッセージが、前記着呼側ドメイン選択デバイスが前記着呼側UEの着呼側回線交換フォールバックCSFBサービスをトリガするように、前記PSドメインでの着呼側サービスセットアップが失敗したことを指示するのに使用される、こと、
によってトリガするように特に構成される、請求項20から29のいずれか一項に記載のIMSコア・ネットワーク・デバイス。
【請求項３５】
前記第2のメッセージが第2の原因値を含み、前記第2の原因値が前記着呼側ドメイン選択デバイスに、前記PSドメインでの前記着呼側サービスセットアップが失敗した具体的な理由を通知するのに使用される、請求項34に記載のIMSコア・ネットワーク・デバイス。
【請求項３６】
前記通信インターフェースを使用して前記着呼側ドメイン選択デバイスに前記第2のメッセージを送信する前に、前記プロセッサが、
前記着呼側UEが呼び出し準備状態にあると判断する、
ようにさらに構成される、請求項34に記載のIMSコア・ネットワーク・デバイス。
【請求項３７】
前記IMSコア・ネットワーク・デバイスが、着呼側のサービング呼セッション制御機能I／S−CSCF、着呼側のサービス集中および継続アプリケーションサーバSCC AS、または着呼側のプロキシ呼セッション制御機能P−CSCFである、請求項34から36のいずれか一項に記載のIMSコア・ネットワーク・デバイス。
【請求項３８】
前記プロセッサが、前記通信インターフェースを使用して前記着呼側ドメイン選択デバイスに前記第2のメッセージを送信することは、具体的には、
前記着呼側の前記P−CSCFの前記プロセッサにより、前記着呼側の前記I／S−CSCFが前記第2のメッセージを前記着呼側ドメイン選択デバイスに転送するように、前記通信インターフェースを使用して前記着呼側の前記I／S−CSCFに前記第2のメッセージを送信すること、
である、請求項37に記載のIMSコア・ネットワーク・デバイス。
【発明の詳細な説明】
【技術分野】
【０００１】
本発明は通信技術の分野に関し、詳細には、サービス処理方法およびサービス処理装置に関する。
【背景技術】
【０００２】
ロング・ターム・エボリューション（Long Term Evolution、LTE）・ネットワークの音声サービスは、ボイス・オーバ・ロング・ターム・エボリューション（Voice over LTE、VoLTE）・サービスと呼ばれる。現在、ますます多くの事業者が商用VoLTEサービスに着手しており、ますます多くのユーザ機器（User Equipment、UE）がVoLTEサービスをサポートできるようになっている。VoLTEは、IP（Internet Protocol、インターネットプロトコル）データ伝送に基づく音声技術であり、すべてのサービスがLTEネットワーク上で搬送され、そのためデータサービスと音声サービスとが同じネットワーク内で統合される。
【０００３】
従来の回線交換ドメイン音声サービスと比較して、現在のVoLTEサービスは、音声通話と関連付けられた様々な付加サービスを十分にサポートしていない。例えば、元のカスタマイズされた呼び出し音（Ring Back Tone）サービスや通話転送サービスやボイス・メール・サービスがサポートされない場合がある。加えて、VoLTEサービスがユーザのために十分にアクティブ化されていないネットワークでは、VoLTEサービスに加入しているユーザが、VoLTEサービスがアクティブ化されていないネットワーク・カバレッジ・エリアにローミングしたときにVoLTEサービスを使用することができない。これはユーザの通話品質に重大な影響を与える。
【発明の概要】
【課題を解決するための手段】
【０００４】
本出願は、VoLTEサービスをセットアップできないときにVoLTEサービスをセットアップしようと再試行することによって引き起こされる、ユーザ機器の音声サービスの通話完了率が低いという技術的問題を解決するために、サービス処理方法およびサービス処理装置を提供する。
【０００５】
本出願は、サービス処理方法を提供し、本方法は、
インターネット・プロトコル・マルチメディア・サブシステムIMS・コア・ネットワーク・デバイスにより、パケット交換PSドメインでユーザ機器UEにボイス・オーバ・ロング・ターム・エボリューションVoLTE・サービスをセットアップするよう求める要求を受信するステップと、
PSドメインでVoLTEサービスをセットアップできないと判断した後に、IMSコア・ネットワーク・デバイスにより、UEの回線交換フォールバックCSFBサービスをトリガするステップと、
を含む。
【０００６】
このようにして、IMSコア・ネットワーク・デバイスは、UEにVoLTEサービスをセットアップするよう求める要求メッセージを受信し、VoLTEサービスのセットアップを再試行せずにVoLTEサービスをセットアップできない場合にUEのCSFBサービスを直接トリガするように、VoLTEサービスをセットアップできないと判断した後にUEのCSFBサービスをトリガし、それにより、ユーザ機器の通話完了率が上がり、UEによって要求された音声サービスおよび付加サービスが保証され、良好なユーザ体験が保証される。
【０００７】
任意選択で、IMSコア・ネットワーク・デバイスは、PSドメインでVoLTEサービスをセットアップできないことを、
IMSコア・ネットワーク・デバイスが、VoLTEサービスと関連付けられた少なくとも1つの付加サービスを取得し、その少なくとも1つの付加サービスが利用できないと判断した場合、
IMSコア・ネットワーク・デバイスが、UEが現在位置しているサービスネットワークがVoLTEサービスをサポートしていないと判断した場合、および
IMSコア・ネットワーク・デバイスが、PSドメインでのVoLTEサービスの音声ベアラのセットアップが失敗したと判断した場合、
のうちの少なくとも1つが存在すると判断することによって判断する。
【０００８】
このようにして、利用できない付加サービスが存在するか、UEが現在位置しているサービスネットワークがVoLTEサービスをサポートしていないか、またはVoLTEサービスの音声ベアラのセットアップが失敗した場合、IMSコア・ネットワーク・デバイスは、PSドメインでVoLTEサービスをセットアップできないと判断する。これら3つの場合において、UEのCSFBサービスを効果的にトリガし、VoLTEサービスをセットアップしようとする試みを可能な限り回避するように、PSドメインでVoLTEサービスをセットアップするプロセスの間に発生しうる、VoLTEサービスをセットアップできない事例が包括的に考慮されている。
【０００９】
任意選択で、IMSコア・ネットワーク・デバイスが、VoLTEサービスと関連付けられた少なくとも1つの付加サービスを取得することは、
IMSコア・ネットワーク・デバイスにより、UEの加入情報に基づいて、VoLTEサービスと関連付けられた少なくとも1つの付加サービスを取得すること、または
IMSコア・ネットワーク・デバイスにより、UEによって送信された付加サービスセットアップ要求メッセージから、VoLTEサービスと関連付けられた少なくとも1つの付加サービスを取得すること、
を含む。
【００１０】
このようにして、IMSコア・ネットワーク・デバイスは、前述の2つの方法で少なくとも1つの付加サービスを取得し、利用できない付加サービスが存在するかどうかを続いて判断することができる。
【００１１】
任意選択で、IMSコア・ネットワーク・デバイスが、UEが現在位置しているサービスネットワークがVoLTEサービスをサポートしていないと判断することは、IMSコア・ネットワーク・デバイスにより、UEが位置している在圏公衆陸上移動体網VPLMNでVoLTEサービス機能がアクティブ化されていないか、またはUEが位置しているVPLMNとホーム公衆陸上移動体網HPLMNとの間でVoLTEサービスローミング協定が締結されていないと判断すること、を含む。
【００１２】
このようにして、2つの態様を使用して、UEが現在位置しているサービスネットワークがVoLTEサービスをサポートしているかどうか、すなわち、VPLMNでVoLTEサービス機能がアクティブ化されているかかどうか、およびVPLMNとHPLMNとの間でVoLTEサービスローミング協定が締結されているかどうかが判断され、そのためVoLTEサービスがサポートされていない様々な事例が包括的に考慮され、それにより判断結果がより正確になり、UEのCSFBサービスをトリガすべきかどうかを判断するための正しい根拠が提供される。
【００１３】
任意選択で、IMSコア・ネットワーク・デバイスは、UEが位置している在圏公衆陸上移動体網VPLMNでVoLTEサービス機能がアクティブ化されていないことを、
VPLMNが、VoLTEサービス機能がアクティブ化されているネットワークのホワイトリストに記載されていない場合、
VPLMNが、VoLTEサービス機能がアクティブ化されていないネットワークのブラックリストに記載されている場合、
VPLMNとホーム公衆陸上移動体網HPLMNとの間でVoLTEサービスローミング協定が締結されていない場合、
VPLMNのプロキシ呼セッション制御機能P−CSCFが、VoLTEサービス機能をサポートしているネットワークのホワイトリストに記載されていない場合、および
VPLMNのP−CSCFが、VoLTEサービス機能をサポートしていないネットワークのブラックリストに記載されている場合、
のうちの少なくとも1つが存在すると判断することによって判断する。
【００１４】
このようにして、本出願では、VPLMNでVoLTEサービス機能がアクティブ化されているかどうかが、前述の観点から実際の状況に基づいて判断されうる。
【００１５】
任意選択で、IMSコア・ネットワーク・デバイスが、PSドメインでのVoLTEサービスの音声ベアラのセットアップが失敗したと判断することは、
IMSコア・ネットワーク・デバイスにより、再認証要求RARメッセージまたはセッション打切り要求ASRメッセージを受信することと、
RARメッセージまたはASRメッセージが、ベアラリソースの不十分性を指示するのに使用される指示情報またはリソース割り振り失敗を指示するのに使用される指示情報を搬送していると判断した後に、IMSコア・ネットワーク・デバイスにより、PSドメインでのVoLTEサービスの音声ベアラのセットアップが失敗したと判断することと、
を含む。
【００１６】
このようにして、IMSコア・ネットワーク・デバイスは、RARメッセージまたはASRメッセージで搬送された指示情報に基づいて、VoLTEサービスの音声ベアラのセットアップが失敗したと判断しうる。
【００１７】
任意選択で、RARメッセージまたはASRメッセージは、VoLTEサービスの音声ベアラセットアップ失敗の原因値を含む。
【００１８】
このようにして、RARメッセージまたはASRメッセージは、VoLTEサービスの音声ベアラセットアップ失敗の原因値を搬送し、そのためIMSコア・ネットワーク・デバイスは音声ベアラセットアップ失敗の具体的な理由を記録することができ、それにより後続の解析の根拠が提供される。
【００１９】
任意選択で、VoLTEサービスの音声ベアラセットアップ失敗のものである、RARメッセージまたはASRメッセージに含まれる原因値は、UEがPSドメインの弱いカバレッジエリア内にあることである。
【００２０】
任意選択で、IMSコア・ネットワーク・デバイスが、UEのCSFBサービスをトリガするステップの前に、本方法は、
IMSコア・ネットワーク・デバイスにより、UEが回線交換ドメインに登録されていると判断するステップ、
をさらに含む。
【００２１】
このようにして、本出願では、IMSコア・ネットワーク・デバイスは、UEが回線交換ドメインに登録されていると判断して初めてUEのCSFBサービスをトリガしうる。IMSコア・ネットワーク・デバイスがUEは回線交換ドメインに登録されていないと判断した場合には、たとえIMSコア・ネットワーク・デバイスがVoLTEサービスをセットアップできないと判断したとしても、IMSコア・ネットワーク・デバイスはUEのCSFBサービスをトリガすることができない。このように、UEのCSFBサービスは、CSFBサービスが正常にトリガされるようにするために、UEが回線交換ドメインに登録されて初めてトリガすることができる。UEが回線交換ドメインに登録されていない場合、CSFBサービスがトリガされる必要はなく、そのため冗長なトリガ手順が回避されて、処理リソースが節約される。
【００２２】
任意選択で、IMSコア・ネットワーク・デバイスが、UEが回線交換ドメインに登録されていると判断するステップは、
IMSコア・ネットワーク・デバイスにより、ホーム加入者サーバHSSまたはホーム・ロケーション・レジスタHLRから、UEが回線交換CSネットワークに登録した情報を取得するステップと、
IMSコア・ネットワーク・デバイスにより、UEがCSネットワークに登録した情報に基づいて、UEが回線交換ドメインに登録されていると判断するステップと、
を含む。
【００２３】
任意選択で、UEはVoLTEサービスの発呼側UEである。
【００２４】
IMSコア・ネットワーク・デバイスにより、UEのCSFBサービスをトリガするステップは、
IMSコア・ネットワーク・デバイスにより、発呼側UEに第1のメッセージを送信するステップであって、第1のメッセージが発呼側UEをトリガして発呼側回線交換フォールバックCSFBサービスを開始させるのに使用される、ステップ、
を含む。
【００２５】
このようにして、IMSコア・ネットワーク・デバイスは、CSFBサービスを速くトリガするように、発呼側UEに第1のメッセージを送信することによって発呼側UEをトリガして発呼側CSFBサービスを開始させる。
【００２６】
任意選択で、第1のメッセージは第1の原因値を含み、第1の原因値は発呼側UEにVoLTEサービスが利用できない具体的な理由を通知するのに使用される。
【００２７】
このようにして、第1の原因値は、発呼側UEが記録できるように発呼側UEに送信され、それにより統計的解析などの後続のプロセスのための根拠が提供される。
【００２８】
任意選択で、IMSコア・ネットワーク・デバイスにより、発呼側UEに第1のメッセージを送信するステップの前に、本方法は、
IMSコア・ネットワーク・デバイスにより、発呼側UEに対応する着呼側UEが呼び出し準備状態にあると判断するステップ、
をさらに含む。
【００２９】
このようにして、本出願では、IMSコア・ネットワーク・デバイスは、発呼側UEに対応する着呼側UEが呼び出し準備状態にあると判断して初めてUEのCSFBサービスをトリガしうる。IMSコア・ネットワーク・デバイスが発呼側UEに対応する着呼側UEは呼び出し中であると判断した場合には、たとえIMSコア・ネットワーク・デバイスがVoLTEサービスをセットアップできないと判断したとしても、IMSコア・ネットワーク・デバイスはUEのCSFBサービスをトリガすることができない。このように、UEのCSFBサービスは、発呼側UEに対応する着呼側UEが呼び出し準備状態にあって初めてトリガすることができ、そのためユーザに気付かれない。発呼側UEに対応する着呼側UEが呼び出し中である場合、CSFBサービスがトリガされる必要はなく、そのため冗長なトリガ手順が回避されて、処理リソースが節約される。
【００３０】
任意選択で、IMSコア・ネットワーク・デバイスは、発呼側のサービング呼セッション制御機能I／S−CSCF、発呼側のサービス集中および継続アプリケーションサーバSCC AS、または発呼側のプロキシ呼セッション制御機能P−CSCFである。
【００３１】
任意選択で、UEはVoLTEサービスの着呼側UEである。
【００３２】
IMSコア・ネットワーク・デバイスにより、UEのCSFBサービスをトリガするステップは、
IMSコア・ネットワーク・デバイスにより、着呼側ドメイン選択デバイスに第2のメッセージを送信するステップであって、第2のメッセージが、着呼側ドメイン選択デバイスが着呼側UEの着呼側回線交換フォールバックCSFBサービスをトリガするように、PSドメインでの着呼側サービスセットアップが失敗したことを指示するのに使用される、ステップ、
をさらに含む
【００３３】
このようにして、IMSコア・ネットワーク・デバイスは、CSFBサービスを速くトリガするように、着呼側UEに第2のメッセージを送信することによって着呼側UEのCSFBサービスをトリガする。
【００３４】
任意選択で、第2のメッセージは第2の原因値を含み、第2の原因値は着呼側ドメイン選択デバイスに、PSドメインでの着呼側セットアップが失敗した具体的な理由を通知するのに使用される。
【００３５】
このようにして、第2の原因値は、着呼側ドメイン選択デバイスが記録できるように着呼側ドメイン選択デバイスに送信され、それにより統計的解析などの後続のプロセスのための根拠が提供される。
【００３６】
任意選択で、IMSコア・ネットワーク・デバイスにより、着呼側ドメイン選択デバイスに第2のメッセージを送信するステップの前に、本方法は、
IMSコア・ネットワーク・デバイスにより、着呼側UEが呼び出し準備状態にあると判断するステップ、
をさらに含む。
【００３７】
このようにして、本出願では、IMSコア・ネットワーク・デバイスは、着呼側UEが呼び出し準備状態にあると判断して初めてUEのCSFBサービスをトリガしうる。IMSコア・ネットワーク・デバイスが着呼側UEは呼び出し中であると判断した場合には、たとえIMSコア・ネットワーク・デバイスがVoLTEサービスをセットアップできないと判断したとしても、IMSコア・ネットワーク・デバイスはUEのCSFBサービスをトリガすることができない。このように、UEのCSFBサービスは、着呼側UEが呼び出し準備状態にあって初めてトリガすることができ、そのためユーザに気付かれない。着呼側UEが呼び出し中である場合、CSFBサービスがトリガされる必要はなく、そのため冗長なトリガ手順が回避されて、処理リソースが節約される。
【００３８】
任意選択で、IMSコア・ネットワーク・デバイスは、着呼側のサービング呼セッション制御機能I／S−CSCF、着呼側のサービス集中および継続アプリケーションサーバSCC AS、または着呼側のプロキシ呼セッション制御機能P−CSCFである。
【００３９】
任意選択で、IMSコア・ネットワーク・デバイスにより、着呼側ドメイン選択デバイスに第2のメッセージを送信するステップは、
着呼側のP−CSCFにより、着呼側のI／S−CSCFが第2のメッセージを着呼側ドメイン選択デバイスに転送するように、着呼側のI／S−CSCFに第2のメッセージを送信するステップ、
を含む。
【００４０】
本出願は、IMSコア・ネットワーク・デバイスを提供し、本IMSコア・ネットワーク・デバイスは、送受信モジュールと、処理モジュールとを含む。
【００４１】
送受信モジュールは、パケット交換PSドメインでユーザ機器UEにボイス・オーバ・ロング・ターム・エボリューションVoLTE・サービスをセットアップするよう求める要求メッセージを受信するように構成される。
【００４２】
処理モジュールは、PSドメインでVoLTEサービスをセットアップできないと判断した後に、UEの回線交換フォールバックCSFBサービスをトリガするように構成される。
【００４３】
任意選択で、処理モジュールは、PSドメインでVoLTEサービスをセットアップできないことを、
VoLTEサービスと関連付けられた少なくとも1つの付加サービスが取得され、その少なくとも1つの付加サービスが利用できないと判断された場合、
UEが現在位置しているサービスネットワークがVoLTEサービスをサポートしていないと判断された場合、および
PSドメインでのVoLTEサービスの音声ベアラのセットアップが失敗したと判断された場合、
のうちの少なくとも1つが存在すると判断することによって判断するように特に構成される。
【００４４】
任意選択で、処理モジュールは、VoLTEサービスと関連付けられた少なくとも1つの付加サービスを、
UEの加入情報に基づいて、VoLTEサービスと関連付けられた少なくとも1つの付加サービスを取得すること、または
UEによって送信された付加サービスセットアップ要求メッセージから、VoLTEサービスと関連付けられた少なくとも1つの付加サービスを取得すること、
によって取得する。
【００４５】
任意選択で、処理モジュールは、UEが現在位置しているサービスネットワークがVoLTEサービスをサポートしていないことを、
UEが位置している在圏公衆陸上移動体網VPLMNでVoLTEサービス機能がアクティブ化されていないか、またはUEが位置しているVPLMNとホーム公衆陸上移動体網HPLMNとの間でVoLTEサービスローミング協定が締結されていないと判断すること、
によって判断するように特に構成される。
【００４６】
任意選択で、処理モジュールは、UEが位置している在圏公衆陸上移動体網VPLMNでVoLTEサービス機能がアクティブ化されていないことを、
VPLMNが、VoLTEサービス機能がアクティブ化されているネットワークのホワイトリストに記載されていない場合、
VPLMNが、VoLTEサービス機能がアクティブ化されていないネットワークのブラックリストに記載されている場合、
VPLMNとホーム公衆陸上移動体網HPLMNとの間でVoLTEサービスローミング協定が締結されていない場合、
VPLMNのプロキシ呼セッション制御機能P−CSCFが、VoLTEサービス機能をサポートしているネットワークのホワイトリストに記載されていない場合、および
VPLMNのP−CSCFが、VoLTEサービス機能をサポートしていないネットワークのブラックリストに記載されている場合、
のうちの少なくとも1つが存在すると判断することによって判断するように特に構成される。
【００４７】
任意選択で、処理モジュールは、PSドメインでのVoLTEサービスの音声ベアラのセットアップが失敗したことを、
送受信モジュールを使用して再認証要求RARメッセージまたはセッション打切り要求ASRメッセージを受信することと、
RARメッセージまたはASRメッセージが、ベアラリソースの不十分性を指示するのに使用される指示情報またはリソース割り振り失敗を指示するのに使用される指示情報を搬送していると判断された後に、PSドメインでのVoLTEサービスの音声ベアラのセットアップが失敗したと判断することと、
によって判断するように特に構成される。
【００４８】
任意選択で、RARメッセージまたはASRメッセージは、VoLTEサービスの音声ベアラセットアップ失敗の原因値を含む。
【００４９】
任意選択で、VoLTEサービスの音声ベアラセットアップ失敗のものである、RARメッセージまたはASRメッセージに含まれる原因値は、UEがPSドメインの弱いカバレッジエリア内にあることである。
【００５０】
任意選択で、UEのCSFBサービスをトリガする前に、処理モジュールは、
UEが回線交換ドメインに登録されていると判断する、
ようにさらに構成される。
【００５１】
任意選択で、処理モジュールは、UEが回線交換ドメインに登録されていることを、
ホーム加入者サーバHSSまたはホーム・ロケーション・レジスタHLRから、UEが回線交換CSネットワークに登録した情報を取得することと、
UEがCSネットワークに登録した情報に基づいて、UEが回線交換ドメインに登録されていると判断することと、
によって判断するように特に構成される。
【００５２】
任意選択で、UEはVoLTEサービスの発呼側UEである。
【００５３】
処理モジュールは、UEのCSFBサービスを、
送受信モジュールを使用して発呼側UEに第1のメッセージを送信することであって、第1のメッセージが発呼側UEをトリガして発呼側回線交換フォールバックCSFBサービスを開始させるのに使用される、こと、
によってトリガするように特に構成される。
【００５４】
任意選択で、第1のメッセージは第1の原因値を含み、第1の原因値は発呼側UEにVoLTEサービスが利用できない具体的な理由を通知するのに使用される。
【００５５】
任意選択で、送受信モジュールを使用して発呼側UEに第1のメッセージを送信する前に、処理モジュールは、
発呼側UEに対応する着呼側UEが呼び出し準備状態にあると判断する、
ようにさらに構成される。
【００５６】
任意選択で、IMSコア・ネットワーク・デバイスは、発呼側のサービング呼セッション制御機能I／S−CSCF、発呼側のサービス集中および継続アプリケーションサーバSCC AS、または発呼側のプロキシ呼セッション制御機能P−CSCFである。
【００５７】
任意選択で、UEはVoLTEサービスの着呼側UEである。
【００５８】
処理モジュールは、UEのCSFBサービスを、
送受信モジュールを使用して着呼側ドメイン選択デバイスに第2のメッセージを送信することであって、第2のメッセージが、着呼側ドメイン選択デバイスが着呼側UEの着呼側回線交換フォールバックCSFBサービスをトリガするように、PSドメインでの着呼側サービスセットアップが失敗したことを指示するのに使用される、こと、
によってトリガするように特に構成される。
【００５９】
任意選択で、第2のメッセージは第2の原因値を含み、第2の原因値は着呼側ドメイン選択デバイスに、PSドメインでの着呼側セットアップが失敗した具体的な理由を通知するのに使用される。
【００６０】
任意選択で、送受信モジュールを使用して着呼側ドメイン選択デバイスに第2のメッセージを送信する前に、処理モジュールは、
着呼側UEが呼び出し準備状態にあると判断する、
ようにさらに構成される。
【００６１】
任意選択で、IMSコア・ネットワーク・デバイスは、着呼側のサービング呼セッション制御機能I／S−CSCF、着呼側のサービス集中および継続アプリケーションサーバSCC AS、または着呼側のプロキシ呼セッション制御機能P−CSCFである。
【００６２】
任意選択で、処理モジュールが、送受信モジュールを使用して着呼側ドメイン選択デバイスに第2のメッセージを送信することは、具体的には、
着呼側のP−CSCFの処理モジュールにより、着呼側のI／S−CSCFが第2のメッセージを着呼側ドメイン選択デバイスに転送するように、送受信モジュールを使用して着呼側のI／S−CSCFに第2のメッセージを送信すること、
である。
【００６３】
本出願は、別のIMSコア・ネットワーク・デバイスを提供し、本IMSコア・ネットワーク・デバイスは、通信インターフェースと、プロセッサとを含む。
【００６４】
通信インターフェースは、パケット交換PSドメインでユーザ機器UEにボイス・オーバ・ロング・ターム・エボリューションVoLTE・サービスをセットアップするよう求める要求メッセージを受信するように構成される。
【００６５】
プロセッサは、PSドメインでVoLTEサービスをセットアップできないと判断した後に、UEの回線交換フォールバックCSFBサービスをトリガするように構成される。
【００６６】
任意選択で、プロセッサは、PSドメインでVoLTEサービスをセットアップできないことを、
VoLTEサービスと関連付けられた少なくとも1つの付加サービスが取得され、その少なくとも1つの付加サービスが利用できないと判断された場合、
UEが現在位置しているサービスネットワークがVoLTEサービスをサポートしていないと判断された場合、および
PSドメインでのVoLTEサービスの音声ベアラのセットアップが失敗したと判断された場合、
のうちの少なくとも1つが存在すると判断することによって判断するように特に構成される。
【００６７】
任意選択で、プロセッサは、VoLTEサービスと関連付けられた少なくとも1つの付加サービスを、
UEの加入情報に基づいて、VoLTEサービスと関連付けられた少なくとも1つの付加サービスを取得すること、または
UEによって送信された付加サービスセットアップ要求メッセージから、VoLTEサービスと関連付けられた少なくとも1つの付加サービスを取得すること、
によって取得する。
【００６８】
任意選択で、プロセッサは、UEが現在位置しているサービスネットワークがVoLTEサービスをサポートしていないことを、
UEが位置している在圏公衆陸上移動体網VPLMNでVoLTEサービス機能がアクティブ化されていないか、またはUEが位置しているVPLMNとホーム公衆陸上移動体網HPLMNとの間でVoLTEサービスローミング協定が締結されていないと判断すること、
によって判断するように特に構成される。
【００６９】
任意選択で、プロセッサは、UEが位置している在圏公衆陸上移動体網VPLMNでVoLTEサービス機能がアクティブ化されていないことを、
VPLMNが、VoLTEサービス機能がアクティブ化されているネットワークのホワイトリストに記載されていない場合、
VPLMNが、VoLTEサービス機能がアクティブ化されていないネットワークのブラックリストに記載されている場合、
VPLMNとホーム公衆陸上移動体網HPLMNとの間でVoLTEサービスローミング協定が締結されていない場合、
VPLMNのプロキシ呼セッション制御機能P−CSCFが、VoLTEサービス機能をサポートしているネットワークのホワイトリストに記載されていない場合、および
VPLMNのP−CSCFが、VoLTEサービス機能をサポートしていないネットワークのブラックリストに記載されている場合、
のうちの少なくとも1つが存在すると判断することによって判断するように特に構成される。
【００７０】
任意選択で、プロセッサは、PSドメインでのVoLTEサービスの音声ベアラのセットアップが失敗したことを、
通信インターフェースを使用して再認証要求RARメッセージまたはセッション打切り要求ASRメッセージを受信することと、
RARメッセージまたはASRメッセージが、ベアラリソースの不十分性を指示するのに使用される指示情報またはリソース割り振り失敗を指示するのに使用される指示情報を搬送していると判断された後に、PSドメインでのVoLTEサービスの音声ベアラのセットアップが失敗したと判断することと、
によって判断するように特に構成される。
【００７１】
任意選択で、RARメッセージまたはASRメッセージは、VoLTEサービスの音声ベアラセットアップ失敗の原因値を含む。
【００７２】
任意選択で、VoLTEサービスの音声ベアラセットアップ失敗のものである、RARメッセージまたはASRメッセージに含まれる原因値は、UEがPSドメインの弱いカバレッジエリア内にあることである。
【００７３】
任意選択で、UEのCSFBサービスをトリガする前に、プロセッサは、
UEが回線交換ドメインに登録されていると判断する、
ようにさらに構成される。
【００７４】
任意選択で、プロセッサは、UEが回線交換ドメインに登録されていることを、
ホーム加入者サーバHSSまたはホーム・ロケーション・レジスタHLRから、UEが回線交換CSネットワークに登録した情報を取得することと、
UEがCSネットワークに登録した情報に基づいて、UEが回線交換ドメインに登録されていると判断することと、
によって判断するように特に構成される。
【００７５】
任意選択で、UEはVoLTEサービスの発呼側UEである。
【００７６】
プロセッサは、UEのCSFBサービスを、
通信インターフェースを使用して発呼側UEに第1のメッセージを送信することであって、第1のメッセージが発呼側UEをトリガして発呼側回線交換フォールバックCSFBサービスを開始させるのに使用される、こと、
によってトリガするように特に構成される。
【００７７】
任意選択で、第1のメッセージは第1の原因値を含み、第1の原因値は発呼側UEにVoLTEサービスが利用できない具体的な理由を通知するのに使用される。
【００７８】
任意選択で、通信インターフェースを使用して発呼側UEに第1のメッセージを送信する前に、プロセッサは、
発呼側UEに対応する着呼側UEが呼び出し準備状態にあると判断する、
ようにさらに構成される。
【００７９】
任意選択で、IMSコア・ネットワーク・デバイスは、発呼側のサービング呼セッション制御機能I／S−CSCF、発呼側のサービス集中および継続アプリケーションサーバSCC AS、または発呼側のプロキシ呼セッション制御機能P−CSCFである。
【００８０】
任意選択で、UEはVoLTEサービスの着呼側UEである。
【００８１】
プロセッサは、UEのCSFBサービスを、
通信インターフェースを使用して着呼側ドメイン選択デバイスに第2のメッセージを送信することであって、第2のメッセージが、着呼側ドメイン選択デバイスが着呼側UEの着呼側回線交換フォールバックCSFBサービスをトリガするように、PSドメインでの着呼側サービスセットアップが失敗したことを指示するのに使用される、こと、
によってトリガするように特に構成される。
【００８２】
任意選択で、第2のメッセージは第2の原因値を含み、第2の原因値は着呼側ドメイン選択デバイスに、PSドメインでの着呼側セットアップが失敗した具体的な理由を通知するのに使用される。
【００８３】
任意選択で、通信インターフェースを使用して着呼側ドメイン選択デバイスに第2のメッセージを送信する前に、プロセッサは、
着呼側UEが呼び出し準備状態にあると判断する、
ようにさらに構成される。
【００８４】
任意選択で、IMSコア・ネットワーク・デバイスは、着呼側のサービング呼セッション制御機能I／S−CSCF、着呼側のサービス集中および継続アプリケーションサーバSCC AS、または着呼側のプロキシ呼セッション制御機能P−CSCFである。
【００８５】
任意選択で、プロセッサが、通信インターフェースを使用して着呼側ドメイン選択デバイスに第2のメッセージを送信することは、具体的には、
着呼側のP−CSCFのプロセッサにより、着呼側のI／S−CSCFが第2のメッセージを着呼側ドメイン選択デバイスに転送するように、通信インターフェースを使用して着呼側のI／S−CSCFに第2のメッセージを送信すること、
である。
【００８６】
本出願の実施形態において、IMSコア・ネットワーク・デバイスは、UEにVoLTEサービスをセットアップするよう求める要求メッセージを受信する。VoLTEサービスをセットアップできないと判断した後に、IMSコア・ネットワーク・デバイスは、VoLTEサービスのセットアップを再試行せずにVoLTEサービスをセットアップできない場合にUEのCSFBサービスを直接トリガするように、UEのCSFBサービスをトリガし、それにより、ユーザ機器の通話完了率が上がり、UEによって要求された音声サービスおよび付加サービスが保証され、良好なユーザ体験が保証され、UEがVoLTEサービスを使用して接続することができず、処理時間が無駄になるという技術的問題が回避される。
【００８７】
本出願の実施形態における技術的解決策をより明確に説明するために、以下で、これらの実施形態の説明に必要な添付の図面について簡単に述べる。
【図面の簡単な説明】
【００８８】
【図１】本出願の一実施形態による通信ネットワークの概略的アーキテクチャ図である。
【図２】本出願の実施形態1によるサービス処理方法の概略的流れ図である。
【図３】本出願の実施形態2によるサービス処理方法の概略的流れ図である。
【図４】本出願の実施形態3によるサービス処理方法の概略的流れ図である。
【図５】本出願の実施形態4によるサービス処理方法の概略的流れ図である。
【図６】本出願の実施形態5によるサービス処理方法の概略的流れ図である。
【図７】本出願の実施形態6によるサービス処理方法の概略的流れ図である。
【図８】本出願の実施形態7によるサービス処理方法の概略的流れ図である。
【図９】本出願の一実施形態によるIMSコア・ネットワーク・デバイスの概略的構造図である。
【図１０】本出願の一実施形態による別のIMSコア・ネットワーク・デバイスの概略的構造図である。
【発明を実施するための形態】
【００８９】
本出願の明細書、特許請求の範囲、および添付の図面において、「第1」、「第2」、「第3」、「第4」などの用語は、異なる対象を区別するためのものであり、特定の順序を示すものではない。加えて、「include」、「comprise」、またはその任意の変形は、非排他的包含を対象として含むことが意図されている。例えば、一連のステップもしくはユニットを含むプロセス、方法、システム、製品、もしくは装置は、記載されたステップもしくはユニットだけに限定されず、任意選択で、記載されていないステップもしくはユニットをさらに含み、または任意選択で、プロセス、方法、製品、もしくは装置の別の固有のステップもしくはユニットをさらに含む。
【００９０】
図1を参照すると、図1は、本出願の一実施形態による通信ネットワークの概略的アーキテクチャ図である。進化型NodeB（eNB、Evolved NodeB）は、無線リンクを使用してユーザ機器への通信接続をセットアップしうる。図1に示す例示的アーキテクチャのLTEネットワークのコア・ネットワーク・デバイスは、モビリティ管理エンティティ（MME、Mobility Management Entity）、サービングゲートウェイ（SGW、Serving Gateway）、パケット・データ・ネットワーク・ゲートウェイ（PGW、PDN Gateway）、ポリシーおよび課金ルール機能などを含む。コア・ネットワーク・デバイスは、UEのVoLTEサービスをインターネット・プロトコル・マルチメディア・サブシステム（IP Multimedia Subsystem、IMS）・ネットワークに接続すると共に、UEとIMSネットワークとの間でVoLTE呼関連のシグナリングを伝送する役割を担いうる。加えて、コア・ネットワーク・デバイスは、VoLTEサービスの関連ユーザ・プレーン・データを伝送するための専用ベアラ（例えば、サービス品質クラス識別子（QCI、QoS Class Identifier）＝1）をセットアップする役割も担いうる。
【００９１】
図1は、IMSコア・ネットワーク・デバイスをさらに含み、IMSコア・ネットワーク・デバイスは具体的には、プロキシ呼セッション制御機能（Proxy Call Session Control Function、P−CSCF）エンティティ、問い合わせ／サービング呼セッション制御機能（Interrogating／Serving Call Session Control Function、I／S−CSCF）エンティティ、およびサービス集中および継続アプリケーションサーバ（service centralization and continuity application server、SCC AS）、である。
【００９２】
P−CSCF（発呼側のP−CSCFと着呼側のP−CSCFとに分類されうる）は、UEがVoLTEサービスプロセスにおいてIMSネットワークにアクセスするための第1のコンタクトポイントである。P−CSCFは、すべてのVoLTE関連のシグナリングのエージェントとして働き、ルーティング制御を完了しうる。VoLTE呼プロセスにおいて、P−CSCFは、関連制御メッセージなどをポリシーおよび課金ルール機能（PCRF、Policy and Charging Rules Function）エンティティに送信する役割をさらに果たしうる。UEがローミング状態にある場合、P−CSCFは一般に、UEが位置している在圏公衆陸上移動体網（Visited Public Land Mobile Network、VPLMN）のP−CSCFを指す。
【００９３】
I／S−CSCF（発呼側のI／S−CSCFと着呼側のI／S−CSCFとに分類されうる）は、IMSネットワークのサービス交換局である。I／S−CSCFは主に、UEのものである、登録要求の受信および処理、ユーザ管理、セッション制御、サービス交換、サービス制御、セッション開始プロトコル（Session Initiation Protocol、SIP）メッセージ処理、課金などの役割を担いうる。I／S−CSCFは、例えば、アプリケーションのトリガ原則に従った対応するドメイン選択サービスデバイスへのSIP要求をさらにトリガしうる。
【００９４】
SCC ASは、発呼側のSCC ASと着呼側のSCC ASとに分類されうる。SCC ASは、IMSネットワークにおけるアプリケーション層サーバの総称であり、様々なアプリケーション層サービスを提供する役割を担う。本出願の実施形態において、SCC ASは、着呼側アクセスドメイン選択（T−ADS、Terminating Access Domain Selection）機能を含みうる。したがって、SCC ASは、着呼側音声セッションを対応するドメイン（例えば、CSドメインやPSドメイン）に接続する着呼側ドメイン選択デバイスとして使用されうる。着呼側ドメイン選択デバイスは、UEに対して（PSドメインに対応する）VoLTE呼を開始すべきか、それとも（CSドメインに対応する）従来の回線交換ドメイン呼を開始すべきかを判断しうる。任意選択で、SCC ASは、着呼側アクセスドメイン選択機能を含まない場合もある。この場合、着呼側ドメイン選択デバイスは、着呼側音声セッションを対応するドメイン（例えば、CSドメインやPSドメイン）に接続するために別個に配置されうる。好ましくは、本出願の実施形態では、SCC ASは、着呼側アクセスドメイン選択機能を含みうる。
【００９５】
本出願の実施形態は、LTEネットワークなどのネットワークに適用されうる。
【００９６】
本出願の実施形態では、ユーザ機器は、無線端末であってもよく、有線端末であってもよく、例えば、携帯電話、コンピュータ、タブレットコンピュータ、携帯情報端末（英語：personal digital assistant、略称PDA）、モバイル・インターネット・デバイス（英語：mobile Internet device、略称MID）、ウエアラブルデバイス、電子書籍リーダ（英語：e-book reader）などであってよい。
【００９７】
本出願の実施形態のいくつかの技術的解決策は、図1に示す例示的な通信ネットワークアーキテクチャまたはこの例示的な通信ネットワークアーキテクチャの変形に基づいて特に実施されうる。
【００９８】
実施形態1
本出願の実施形態1をIMSコア・ネットワーク・デバイスの観点から説明する。IMSコア・ネットワーク・デバイスは、サービング呼セッション制御機能I／S−CSCF、サービス集中および継続アプリケーションサーバSCC AS、またはプロキシ呼セッション制御機能P−CSCFであってよい。
【００９９】
図2は、本出願の実施形態1によるサービス処理方法の概略的流れ図である。図2に示すように、本方法は以下を含む。
【０１００】
ステップ201：IMSコア・ネットワーク・デバイスは、UEにVoLTEサービスをセットアップするよう求める要求メッセージを受信する。
【０１０１】
ステップ202：IMSコア・ネットワーク・デバイスは、VoLTEサービスをセットアップできないと判断した後にUEのCSFBサービスをトリガする。
【０１０２】
具体的には、ステップ202で、IMSコア・ネットワーク・デバイスがVoLTEをセットアップできないと判断することは、IMSコア・ネットワーク・デバイスが、VoLTEサービスと関連付けられた少なくとも1つの付加サービスを取得し、その少なくとも1つの付加サービスが利用できないと判断すること、を含みうる。IMSコア・ネットワーク・デバイスは、VoLTEサービスと関連付けられた少なくとも1つの付加サービスを、方法（1）：IMSコア・ネットワーク・デバイスが、UEの加入情報に基づいて、VoLTEサービスと関連付けられた少なくとも1つの付加サービスを取得すること、および方法（2）：IMSコア・ネットワーク・デバイスが、UEによって送信された付加サービスセットアップ要求メッセージから、VoLTEサービスと関連付けられた少なくとも1つの付加サービスを取得すること、によって取得しうる。
【０１０３】
あるいは、IMSコア・ネットワーク・デバイスがVoLTEをセットアップできないと判断することは、IMSコア・ネットワーク・デバイスが、UEが現在位置しているサービスネットワークがVoLTEサービスをサポートしていないと判断すること、を含みうる。具体的には、IMSコア・ネットワーク・デバイスが、UEがVPLMNでVoLTEサービス機能がアクティブ化されていないか、またはUEが位置しているVPLMNとホーム公衆陸上移動体網（Home Public Land Mobile Network、HPLMN）との間でVoLTEサービスローミング協定が締結されていないと判断すること、が含まれる。IMSコア・ネットワーク・デバイスは、UEが位置しているVPLMNでVoLTEサービス機能がアクティブ化されていないことを、
VPLMNが、VoLTEサービス機能がアクティブ化されているネットワークのホワイトリストに記載されていない場合、
VPLMNが、VoLTEサービス機能がアクティブ化されていないネットワークのブラックリストに記載されている場合、
VPLMNとHPLMNとの間でVoLTEサービスローミング協定が締結されていない場合、
VPLMNのP−CSCFが、VoLTEサービス機能をサポートしているネットワークのホワイトリストに記載されていない場合、および
VPLMNのP−CSCFが、VoLTEサービス機能をサポートしていないネットワークのブラックリストに記載されている場合、
のうちの少なくとも1つが存在すると判断することによって判断しうる。
【０１０４】
ステップ202で、UEのCSFBサービスをトリガする前に、IMSコア・ネットワーク・デバイスは、UEが回線交換ドメインに登録されていると判断する必要がある。具体的には、IMSコア・ネットワーク・デバイスは、ホーム加入者サーバHSSまたはホーム・ロケーション・レジスタHLRから、UEが回線交換CSネットワークに登録した情報を取得し、UEがCSネットワークに登録した情報に基づいて、UEが回線交換ドメインに登録されているかどうかを判断する。例えば、IMSコア・ネットワーク・デバイスは、UEに対応するCSネットワークのものである、内部に記録された位置情報に基づいて、UEはCSネットワークに登録されていると判断した後に、UEがCSネットワークに登録されているかどうかをHSS／HLRに問い合わせしてもよく、ホーム加入者サーバ（Home Subscriber Server、HSS）／ホーム・ロケーション・レジスタ（Home Location Register、HLR）は、IMSコア・ネットワーク・デバイスに、UEがCSネットワークに登録されていることを指示するメッセージで応答し、またはIMSコア・ネットワーク・デバイスは、UEに対応するCSネットワークのものである、HSS／HLRから取得された位置情報に基づいて、UEはCSネットワークに登録されていると直接判断する。UEに対応するCSネットワークのものである、HSS／HLRに記録された位置情報は具体的には、移動交換局（Mobile Switching Center、MSC）の番号／名前、在圏ロケーションレジスタ（Visitor Location Register、VLR）の番号／名前、MSCエリア（MSC area）などでありうる。
【０１０５】
IMSコア・ネットワーク・デバイスは、UEが回線交換ドメインに登録されていると判断して初めてUEのCSFBサービスをトリガしうる。IMSコア・ネットワーク・デバイスがUEは回線交換ドメインに登録されていないと判断した場合には、たとえIMSコア・ネットワーク・デバイスがVoLTEサービスをセットアップできないと判断したとしても、IMSコア・ネットワーク・デバイスはUEのCSFBサービスをトリガすることができない。このように、UEのCSFBサービスは、CSFBサービスが正常にトリガされるようにするために、UEが回線交換ドメインに登録されて初めてトリガすることができる。UEが回線交換ドメインに登録されていない場合、CSFBサービスがトリガされる必要はなく、そのため冗長なトリガ手順が回避されて、処理リソースが節約される。
【０１０６】
本出願の本実施形態では、UEはVoLTEサービスの発呼側UEであってよく、これに対応して、IMSコア・ネットワーク・デバイスは発呼側のI／S−CSCF、発呼側のSCC AS、または発呼側のP−CSCFである。あるいは、UEは、着呼側UEであってもよく、これに対応して、IMSコア・ネットワーク・デバイスは着呼側のI／S−CSCF、着呼側のSCC AS、または着呼側のP−CSCFである。
【０１０７】
ステップ202で、UEがVoLTEサービスの発呼側UEである場合、IMSコア・ネットワーク・デバイスが、UEのCSFBサービスをトリガするステップは、IMSコア・ネットワーク・デバイスが、発呼側UEに第1のメッセージを送信するステップであって、第1のメッセージが発呼側UEをトリガして発呼側回線交換フォールバックCSFBサービスを開始させるのに使用される、ステップ、を含む。好ましくは、第1のメッセージは第1の原因値を含み、第1の原因値は発呼側UEに、VoLTEサービスが利用できない具体的な理由を通知するのに使用される。例えば、具体的な理由は、付加サービスが利用できないことが原因でVoLTEサービスが利用できないことや、UEが位置しているネットワークでVoLTE機能がアクティブ化されていないことが原因でVoLTEサービスが利用できないこと、でありうる。第1の原因値は、発呼側UEが記録できるように発呼側UEに送信され、それにより統計的解析などの後続のプロセスのための根拠が提供される。
【０１０８】
ステップ202で、UEがVoLTEサービスの着呼側UEである場合、IMSコア・ネットワーク・デバイスが、UEのCSFBサービスをトリガするステップは、IMSコア・ネットワーク・デバイスが、着呼側ドメイン選択デバイスに第2のメッセージを送信するステップであって、第2のメッセージが、着呼側ドメイン選択デバイスに、着呼側UEの着呼側回線交換フォールバックCSFBサービスをトリガするよう命令するのに使用される、ステップ、を含む。任意選択で、第2のメッセージは第2の原因値を含み、第2の原因値は、着呼側ドメイン選択デバイスに、VoLTEサービスが利用できない具体的な理由を通知するのに使用される。例えば、具体的な理由は、付加サービスが利用できないことが原因でVoLTEサービスが利用できないことや、UEが位置しているネットワークでVoLTE機能がアクティブ化されていないことが原因でVoLTEサービスが利用できないこと、でありうる。第2の原因値は、着呼側ドメイン選択デバイスが記録できるように着呼側ドメイン選択デバイスに送信され、それにより統計的解析などの後続のプロセスのための根拠が提供される。
【０１０９】
本出願の本実施形態では、UEが発呼側UEである例では、発呼側UEによって送信されたVoLTEサービス要求メッセージを受信した後に、発呼側のIMSコア・ネットワーク・デバイスは、発呼側のIMSコア・ネットワーク・デバイスがVoLTEサービスをセットアップできないと判断した場合に、発呼側UEにVoLTEサービスが利用できないことを通知することが分かる。先行技術のプロセスによれば、発呼側UEは、VoLTEサービス要求を開始した後に、VoLTEサービスが利用できないという、発呼側UEに対応する発呼側のIMSコア・ネットワーク・デバイスによって送信された応答メッセージを発呼側UEが受信した場合、CSドメインで音声通話サービスをセットアップするように、CSFB発呼プロセスを自動的にトリガすることができ、それにより、VoLTEサービスに加入しているユーザが、VoLTE機能がアクティブ化されていないサービスネットワークにローミングしていることが原因でVoLTE呼が失敗しうるという問題が実際上回避される。これにより、ユーザのVoLTEサービスの安定性が向上する。加えて、ユーザがIMSネットワークで実施できない付加サービスがCSネットワークで実施されうる。これにより、ユーザサービス体験が向上する。例えば、現在のところ、多くの事業者によってセットアップされたIMSネットワークはVoLTE音声サービスを提供するにすぎず、元の従来のCSネットワークが提供できる多くの付加サービスをIMSネットワークにおいてサポートすることができないという問題が依然として存在している。別の例として、事業者の中には、VoLTE機能をユーザに対して十分にアクティブ化しておらず、VoLTE機能をごく少数のサブネットワークのみでアクティブ化しているものもあり、この状況が長期にわたって続く可能性がある。したがって、これらのシナリオでは、UEがVoLTEサービスを正常にセットアップできないことがある。ゆえに、通話サービスの安定性に影響を及ぼし、またはたとえVoLTEサービスをセットアップできたとしてもユーザサービス体験は理想的にならない。本出願の本実施形態では、前述のシナリオにおいて、UEは、CSネットワークにフォールバックして音声通話を開始することができ、それにより、通話サービスの安定性が実際上向上し、ユーザ体験が向上する。
【０１１０】
以下では、本出願の本実施形態におけるサービス処理方法について、具体的な実施形態を参照して詳細に説明する。
【０１１１】
実施形態2
本出願の実施形態2では、UEはVoLTEサービスの発呼側UEであり、これに対応して、IMSコア・ネットワーク・デバイスは発呼側のI／S−CSCF、発呼側のSCC AS、または発呼側のP−CSCFである。
【０１１２】
図3は、本出願の実施形態2によるサービス処理方法の概略的流れ図である。図3に示すように、本方法は以下のステップを含む。
【０１１３】
ステップ301：発呼側UEは、invite（invite）メッセージを送信することによってVoLTEサービスのセットアップを開始する。発呼側のP−CSCFは、発呼側UEからinviteメッセージを受信し、inviteメッセージを受信した後に、発呼側のP−CSCFをトリガして、発呼側UEの発呼側IMSセッションをセットアップさせる。
【０１１４】
ステップ302およびステップ303：発呼側のP−CSCFは、inviteメッセージを後続のIMSノードに送信する（例えば、IMSノードはI／S−CSCFまたはSCC ASであってよい）。
【０１１５】
ステップ304：発呼側のSCC ASは、VoLTEサービスと関連付けられた少なくとも1つの付加サービスを取得し、少なくとも1つの付加サービスが利用できないと判断した後にVoLTEサービスをセットアップできないと判断する。
【０１１６】
本出願の本実施形態では、付加サービスは、UEの加入情報に基づいてネットワーク側によってトリガされうる。例えば、発呼側のSCC ASは、発呼側UEの加入データをHSSから取得する。発呼側UEの加入データは、VoLTE呼サービスと関連付けられたネットワークによって発呼側UEに提供される必要がある付加サービス（例えば、呼び出し音や呼転送）に関する情報を含む。発呼側のSCC ASは、付加サービスに関する情報に基づいて、情報内の1つまたは複数の付加サービスをIMSネットワークがサポートできないかどうかを判断する。
【０１１７】
任意選択で、付加サービスは、UE側によって能動的に開始される場合もある。例えば、発呼側UEがVoLTE呼をセットアップするよう要求するinviteメッセージを開始するプロセス（具体的には、このプロセスは、発呼側UEがVoLTE呼を要求するinviteメッセージを送信したが、呼び出し応答を受信していないことでありうる）において、発呼側UEは、ユーザ命令に基づいて、ネットワーク側に、協調していくつかの付加サービス（LCS、位置サービス）を行うよう能動的に要求する。この場合、発呼側UEは、inviteメッセージを再送し（すなわち、付加サービスを求める要求メッセージをセットアップし）、再送されたinviteメッセージは、IMSネットワーク側に、付加サービスを行うよう要求するのに使用される。発呼側のSCC ASは、発呼側UEによって再送されたinviteメッセージに基づいて、inviteメッセージ中の要求された付加サービスをIMSネットワークがサポートできるかどうかを判断する。例えば、発呼側のSCC ASが、発呼側UEによって再送されたinviteメッセージ中のセッション記述プロトコル（Session Description Protocol、SDP）提案に記載された1つまたは複数の付加サービスに対応するメディア要求を満たすことができないと判断した場合、発呼側のSCC ASは、付加サービスがサポートされておらず、VoLTEサービスをセットアップすることができないと判断しうる。ステップ304でVoLTEサービスをセットアップできるかどうかを判断するための動作は、発呼側のI／S−CSCFによって行われてよく、具体的な実行プロセスは、ASの実行プロセスと同様であり、ここでは詳細を繰り返さないことに留意されたい。
【０１１８】
ステップ305：発呼側のSCC ASは、発呼側のI／S−CSCFに380／503応答メッセージを返し、発呼側のI／S−CSCFは、発呼側のP−CSCFに380／503応答メッセージを配信する。
【０１１９】
任意選択で、発呼側のSCC ASは、ステップ305の前に、発呼側UEが回線交換ドメインに登録されているとさらに判断する必要がある。具体的な判断方法については、実施形態1を参照されたい。すなわち、発呼側のSCC ASは、発呼側UEが回線交換ドメインに登録されていると判断した場合にのみステップ305および後続の動作を行い、または、発呼側UEが回線交換ドメインに登録されていないと判断された場合、ステップ305および後続の動作は行われない。
【０１２０】
ステップ306：発呼側のP−CSCFは、発呼側UEに380／503応答メッセージを配信する。
【０１２１】
本出願の本実施形態では、380／503応答メッセージは、現在のVoLTEサービスが利用できないことを指示するのに使用される。380／503応答メッセージは単なる説明例にすぎず、代替として別の名前の応答メッセージであってもよい。具体的には、発呼側のP−CSCFは、事業者のポリシーおよびUE構成情報に基づいて、どの応答メッセージを送信すべきか判断しうる。VoLTEローミングをサポートするために、IMSコア・ネットワーク・デバイスは、発呼側UEが位置している異なるVPLMNに基づいて異なる応答メッセージを配信してよく、例えば、ネットワークAではUEに380メッセージを送信し、ネットワークBではUEに503メッセージを送信してよい。
【０１２２】
任意選択で、着呼側のP−CSCFは、ステップ306の前に、発呼側UEに対応する着呼側UEが呼び出し準備状態（Pre-alerting状態）にあるとさらに判断する必要がある。すなわち、着呼側のP−CSCFは、発呼側UEに対応する着呼側UEが呼び出し準備状態にある場合にのみステップ306および後続の動作を行い、または、発呼側UEに対応する着呼側UEが呼び出し準備状態にないと判断された場合、ステップ306および後続の動作は行われない。このためユーザに気付かれない。
【０１２３】
ステップ307：発呼側のP−CSCFによって送信された380／503メッセージを受信した後に、発呼側UEは、ドメイン選択を再度行い、CSFB呼を開始しうる。UE側とネットワーク側とは協調してCSFB手順を実施し、最終的にCSドメインで音声通話をセットアップする。付加サービスが存在する場合、音声サービスと関連付けられた付加サービスがCSドメインで再セットアップされる。
【０１２４】
音声サービスと関連付けられた付加サービスがCSドメインで再セットアップされることは、CSドメイン・コア・ネットワーク・デバイスが、加入データに基づいて、音声サービスと関連付けられた、行われる必要がある付加サービスを知ることでありうる。CS音声通話をセットアップするプロセスにおいて、CSドメイン・コア・ネットワーク・デバイスは付加サービスの実行をトリガする。あるいは、音声サービスと関連付けられた付加サービスがCSドメインで再セットアップされることは、LTEネットワークで要求された付加サービスが失敗し、CSFBを行うことによってCSドメインにフォールバックした後に、発呼側UEが、音声通話をセットアップする間にCSドメインでVoLTEサービスと関連付けられた付加サービスを行いうることであってもよい。
【０１２５】
発呼側のP−CSCFは、ステップ301の後に、VoLTEサービスをセットアップできるかどうかを判断してよく、判断方法はステップ304と同様であり、ここでは詳細を繰り返さないことに留意されたい。発呼側のP−CSCFがVoLTEサービスをセットアップできないと判断した場合、P−CSCFは、ステップ306を直接行い、ステップ302からステップ305をスキップしてよい。任意選択で、発呼側のP−CSCFは、ステップ306の前に、発呼側UEが回線交換ドメインに登録されているとさらに判断する必要がある。具体的な判断方法については、実施形態1を参照されたい。すなわち、発呼側のP−CSCFは、発呼側UEが回線交換ドメインに登録されていると判断した場合にのみステップ306および後続の動作を行い、または、発呼側UEが回線交換ドメインに登録されていないと判断された場合、ステップ306および後続の動作は行われない。
【０１２６】
前述のプロセスにおいて、発呼側UEがVoLTE音声サービスと関連付けられた付加サービスを開始するシナリオでは、IMSコア・ネットワーク・デバイスが付加サービスのうちの少なくとも1つをサポートできないと判断した場合、IMSコア・ネットワーク・デバイスは、VoLTE呼がCSFB呼に変換されるように、発呼側UEによって開始されたVoLTE呼要求を拒絶する。本出願の本実施形態における技術的解決策は、UEによって開始された、いくつかの特別な付加サービスを含むVoLTE呼をネットワーク側が一時的にサポートしていない場合にVoLTEサービス呼をCSFB呼に確実に変換できるようにするのに役立ち、少なくとも、UEによって要求された音声サービスを保証する。加えて、UEはこのことに気付かず、それにより良好なユーザ体験が保証されうる。
【０１２７】
実施形態3
本出願の実施形態3では、UEはVoLTEサービスの着呼側UEであってよく、これに対応して、IMSコア・ネットワーク・デバイスは着呼側のI／S−CSCF、着呼側のSCC AS、または着呼側のP−CSCFである。
【０１２８】
図4は、本出願の実施形態3によるサービス処理方法の概略的流れ図である。図4に示すように、本方法は以下のステップを含む。
【０１２９】
ステップ401：着呼側のI／S−CSCFは、着呼側UEによって送信されたinviteメッセージを受信し、inviteメッセージを受信した後に、着呼側のI／S−CSCFをトリガして、着呼側UEの着呼側IMSセッションをセットアップさせる。
【０１３０】
ステップ402a：着呼側のI／S−CSCFは、着呼側のSCC ASにinviteメッセージを送信する。
【０１３１】
ステップ402b：着呼側のSCC ASは、着呼側ドメイン選択機能を行い、着呼側セッションにPSドメインを選択する。
【０１３２】
ステップ402c：着呼側のSCC ASは、着呼側のI／S−CSCFにinviteメッセージを送信する。
【０１３３】
ステップ403：着呼側のI／S−CSCFは、着呼側のP−CSCFにinviteメッセージを送信する。
【０１３４】
ステップ404a〜ステップ404c：着呼側のP−CSCFは、着呼側UEにinviteメッセージを転送し（ステップ404a）、着呼側UEは183応答メッセージを返し（ステップ404c）、続いて、183応答メッセージは、P−CSCFによって着呼側のI／S−CSCFと着呼側のSCC ASとに転送される。このプロセスにおいて、ネットワーク側は、音声専用ベアラ（QCI＝1）セットアッププロセスをさらにトリガしうる（ステップ404b）。
【０１３５】
ステップ405：着呼側のSCC ASは、VoLTEサービスと関連付けられた少なくとも1つの付加サービスを取得し、その少なくとも1つの付加サービスが利用できないと判断した後にVoLTEサービスをセットアップできないと判断する。
【０１３６】
本出願の本実施形態では、付加サービスは、UEの加入情報に基づいてネットワーク側によってトリガされうる。例えば、着呼側のSCC ASは、着呼側UEの加入データをHSSから取得する。着呼側UEの加入データは、VoLTE呼サービスと関連付けられたネットワークによって着呼側UEに提供される必要がある付加サービス（例えば、呼び出し音や呼転送）に関する情報を含む。着呼側のSCC ASは、付加サービスに関する情報に基づいて、1つまたは複数の付加サービスをIMSネットワークがサポートできないかどうかを判断する。
【０１３７】
任意選択で、付加サービスは、UE側によって能動的に開始される場合もある。例えば、着呼側UEがVoLTE呼をセットアップするよう要求するためのinviteメッセージを受信するプロセスにおいて、この場合、着呼側UEは、inviteメッセージを能動的に送信し（すなわち、付加サービスを求める要求メッセージをセットアップし）、送信されたinviteメッセージは、IMSネットワーク側に、付加サービスを行うよう要求するのに使用される。着呼側のSCC ASは、着呼側UEによって送信されたinviteメッセージに基づいて、inviteメッセージ中の要求された付加サービスをIMSネットワークがサポートできるかどうかを判断する。例えば、着呼側のSCC ASが、着呼側UEよって送信されたinviteメッセージ中のSDP提案に記載された1つまたは複数の付加サービスに対応するメディア要求を満たすことができないと判断した場合、着呼側のSCC ASは、付加サービスがサポートされておらず、VoLTEサービスをセットアップすることができないと判断しうる。
【０１３８】
ステップ405でVoLTEサービスをセットアップできるかどうかを判断するための動作は、ステップ401でinviteメッセージを受信した後に着呼側のI／S−CSCFによって行われてよく、具体的な実行プロセスはASの実行プロセスと同様であり、ここでは詳細を繰り返さないことに留意されたい。
【０１３９】
ステップ406：着呼側のSCC ASは、着呼側ドメイン選択デバイスに380／503応答メッセージを返す。任意選択で、着呼側のSCC ASによって着呼側ドメイン選択デバイスに送信される応答メッセージは別の応答メッセージであってもよく、380応答メッセージおよび503応答メッセージは単なる説明例として使用されている。具体的な送信応答メッセージは、事業者の構成情報などに基づいて設定されうる。
【０１４０】
着呼側のI／S−CSCFがステップ405の判断動作を行う場合、VoLTEサービスをセットアップできないと判断した後に、着呼側のI／S−CSCFは、着呼側ドメイン選択デバイスに380／503応答メッセージを送信することに留意されたい。
【０１４１】
任意選択で、着呼側のSCC ASは、ステップ406の前に、着呼側UEが回線交換ドメインに登録されているとさらに判断する必要がある。具体的な判断方法については、実施形態1を参照されたい。すなわち、着呼側のSCC ASは、着呼側UEが回線交換ドメインに登録されていると判断した場合にのみステップ406および後続の動作を行い、または、着呼側UEが回線交換ドメインに登録されていないと判断された場合、ステップ406および後続の動作は行われない。
【０１４２】
任意選択で、着呼側のP−CSCFは、ステップ406の前に、着呼側UEが呼び出し準備状態（Pre-alerting状態）にあるとさらに判断する必要がある。すなわち、着呼側のP−CSCFは、着呼側UEが呼び出し準備状態にある場合にのみステップ406および後続の動作を行い、または、着呼側UEが呼び出し準備状態にないと判断された場合、ステップ406および後続の動作は行われない。このためユーザに気付かれない。
【０１４３】
ステップ407：ステップS404が行われる場合、VoLTEサービスをセットアップできないと判断した後に、着呼側のSCC ASは、VoLTEサービスに関連した要求されたセッションを取り消すように、着呼側UEに取り消し（cancel）メッセージを送信する。S406およびS407が行われる順序は限定されない。
【０１４４】
着呼側のI／S−CSCFがステップ405の動作を行う場合、S407も着呼側のI／S−CSCFによって行われるべきであることに留意されたい。
【０１４５】
ステップ408aおよびステップ408b：着呼側ドメイン選択デバイスは、着呼側セッションにCSドメインを再選択し、着呼側のI／S−CSCFなどのデバイスを介してCSドメイン呼制御デバイス（例えば、MSC）への呼を開始する。
【０１４６】
ステップ409：CSドメイン呼制御デバイス（例えば、MSC）は、SGsインターフェースを介してMMEへの呼を開始する。
【０１４７】
ステップ410：MMEは、着呼側UEのCSFB手順をトリガする。詳細な手順については、3GPP TS 23．272の関連した記述を参照されたく、ここでは詳細を述べない。着呼側UEのCSFB手順に基づき、着呼側UEは最終的にCSドメインで音声セッションをセットアップする。付加サービスが存在する場合、音声サービスと関連付けられた付加サービスがCSドメインで再セットアップされる。
【０１４８】
着呼側のP−CSCFは、ステップ403の後に、ステップ405の動作を行ってもよく、動作方法はステップ405の動作方法と同様であり、ここでは詳細を繰り返さないことに留意されたい。VoLTEサービスをセットアップできないと判断された場合、着呼側のP−CSCFは、ステップ406を直接行い、ステップ404からステップ407をスキップする。任意選択で、着呼側のP−CSCFは、ステップ406の前に、着呼側UEが回線交換ドメインに登録されているとさらに判断する必要がある。具体的な判断方法については、実施形態1を参照されたい。すなわち、着呼側のP−CSCFは、UEが回線交換ドメインに登録されていると判断した場合にのみステップ406および後続の動作を行い、または、UEが回線交換ドメインに登録されていないと判断された場合、ステップ406および後続の動作は行われない。
【０１４９】
前述のプロセスにおいて、着呼側のUEがVoLTE音声サービスと関連付けられた付加サービスを開始するシナリオでは、IMSコア・ネットワーク・デバイスが付加サービスのうちの少なくとも1つをサポートできないと判断した場合、IMSコア・ネットワーク・デバイスは、着呼側UEのCSFB呼手順をトリガするように、呼にCSドメインを再選択する。本出願の本実施形態における技術的解決策は、UEのものである、いくつかの特別な付加サービスを含むVoLTEサービスをネットワーク側が一時的にサポートしていない場合にVoLTEサービスをCSFBサービスに確実に変換できるようにするのに役立ち、少なくとも、UEによって要求された音声サービスを保証する。加えて、UEはこのことに気付かず、それにより良好なユーザ体験が保証されうる。
【０１５０】
実施形態4
本出願の実施形態4では、UEはVoLTEサービスの発呼側UEであってよく、これに対応して、IMSコア・ネットワーク・デバイスは発呼側のS−CSCF、発呼側のSCC AS、または発呼側のP−CSCFである。
【０１５１】
図5は、本出願の実施形態4によるサービス処理方法の概略的流れ図である。図5に示すように、本方法は以下のステップを含む。
【０１５２】
ステップ501：発呼側UEは、invite（invite）メッセージを送信することによってVoLTEサービスのセットアップを開始する。発呼側のP−CSCFは、発呼側UEからinviteメッセージを受信し、inviteメッセージを受信した後に、発呼側のP−CSCFをトリガして、発呼側UEの発呼側IMSセッションをセットアップさせる。
【０１５３】
ステップ502およびステップ503：発呼側のP−CSCFは、inviteメッセージを後続のIMSノードに送信する（例えば、IMSノードはS−CSCFまたはSCC ASであってよい）。
【０１５４】
ステップ504：UEが現在位置しているサービスネットワークがVoLTEサービスをサポートしていないと判断した後に、発呼側のSCC ASは、VoLTEサービスをセットアップできないと判断する。
【０１５５】
本出願の本実施形態では、発呼側のSCC ASが、UEが現在位置しているサービスネットワークがVoLTEサービスをサポートしていないと判断することは、UEが位置しているVPLMNでVoLTEサービス機能がアクティブ化されていないか、またはUEが位置しているVPLMNとホーム公衆陸上移動体網HPLMNとの間でVoLTEサービスローミング協定が締結されていないこと、を含む。
【０１５６】
具体的には、発呼側のSCC ASは、受信されたinviteメッセージから発呼側のP−CSCFのアドレスを取得してよく、発呼側のP−CSCFのアドレスに基づいて、発呼側のP−CSCFが属するVPLMNを知る。発呼側のSCC ASが、VPLMNが、VoLTE機能がアクティブ化されているネットワークのホワイトリストに記載されていないか、VPLMNが、VoLTE機能がアクティブ化されていないネットワークのブラックリストに記載されているか、またはVPLMNとHPLMNとの間でVoLTEサービスローミング協定が締結されていないと判断した場合、発呼側のSCC ASは、UEが現在位置しているサービスネットワークがVoLTEサービスをサポートしていないと判断する。
【０１５７】
あるいは、発呼側のSCC ASは、受信されたinviteメッセージから発呼側のP−CSCFのアドレスを取得してもよく、発呼側のP−CSCFのアドレスに基づいて直接判断を行う。発呼側のSCC ASが、発呼側のP−CSCFが、VoLTEサービスをサポートしているネットワークのホワイトリストに記載されていないか、または発呼側のP−CSCFが、VoLTEサービスをサポートしていないネットワークのブラックリストに記載されていると判断した場合、発呼側のSCC ASは、発呼側のSCC ASが位置しているネットワーク（すなわち、VPLMN）がHPLMNのVoLTEサービスをサポートしていないと判断する。
【０１５８】
ステップ504でVoLTEサービスをセットアップできるかどうかを判断するための動作は、発呼側のS−CSCFによって行われてよく、具体的な実行プロセスは、ASの実行プロセスと同様であり、ここでは詳細を繰り返さないことに留意されたい。
【０１５９】
ステップ505：発呼側のSCC ASは、発呼側のS−CSCFに380／503応答メッセージを返し、発呼側のS−CSCFは、発呼側のP−CSCFに380／503応答メッセージを配信する。
【０１６０】
任意選択で、発呼側のSCC ASは、ステップ505の前に、発呼側UEが回線交換ドメインに登録されているとさらに判断する必要がある。具体的な判断方法については、実施形態1を参照されたい。すなわち、発呼側のSCC ASは、発呼側UEが回線交換ドメインに登録されていると判断した場合にのみステップ505および後続の動作を行い、または、発呼側UEが回線交換ドメインに登録されていないと判断された場合、ステップ505および後続の動作は行われない。
【０１６１】
ステップ506：発呼側のP−CSCFは、発呼側UEに380／503応答メッセージを配信する。
【０１６２】
本出願の本実施形態では、380／503応答メッセージは、現在のVoLTEサービスが利用できないことを指示するのに使用される。380／503応答メッセージは単なる説明例にすぎず、代替として別の名前の応答メッセージであってもよい。具体的には、発呼側のP−CSCFは、事業者のポリシーおよびUE構成情報に基づいて、どの応答メッセージを送信すべきか判断しうる。VoLTEローミングをサポートするために、IMSコア・ネットワーク・デバイスは、発呼側UEが位置している異なるVPLMNに基づいて異なる応答メッセージを配信してよく、例えば、ネットワークAではUEに380メッセージを送信し、ネットワークBではUEに503メッセージを送信してよい。
【０１６３】
任意選択で、着呼側のP−CSCFは、ステップ506の前に、発呼側UEに対応する着呼側UEが呼び出し準備状態（Pre-alerting状態）にあるとさらに判断する必要がある。すなわち、着呼側のP−CSCFは、発呼側UEに対応する着呼側UEが呼び出し準備状態にある場合にのみステップ506および後続の動作を行い、または、発呼側UEに対応する着呼側UEが呼び出し準備状態にないと判断された場合、ステップ506および後続の動作は行われない。このためユーザに気付かれない。
【０１６４】
ステップ507：発呼側のP−CSCFによって送信された380／503メッセージを受信した後に、発呼側UEは、ドメイン選択を再度行い、CSFB呼を開始しうる。UE側とネットワーク側とは協調してCSFB手順を実施し、最終的にCSドメインで音声通話をセットアップする。
【０１６５】
発呼側のP−CSCFは、ステップ501の後に、VoLTEサービスをセットアップできるかどうか判断しうることに留意されたい。具体的には、ステップ504で、発呼側のP−CSCFは、発呼側のP−CSCF自体がVoLTEサービスをサポートしているかどうか、または発呼側のP−CSCFが位置しているVPLMNがVoLTEサービスをサポートしているかどうかを判断する必要がある。発呼側のP−CSCFがVoLTEサービスをセットアップできないと判断した場合、P−CSCFは、ステップ506を直接行い、ステップ502からステップ505をスキップしてよい。任意選択で、発呼側のP−CSCFは、ステップ506の前に、発呼側UEが回線交換ドメインに登録されているとさらに判断する必要がある。具体的な判断方法については、実施形態1を参照されたい。すなわち、発呼側のP−CSCFは、発呼側UEが回線交換ドメインに登録されていると判断した場合にのみステップ506および後続の動作を行い、または、発呼側UEが回線交換ドメインに登録されていないと判断された場合、ステップ506および後続の動作は行われない。
【０１６６】
前述のプロセスにおいて、IMSコア・ネットワーク・デバイスは、発呼側UEがVPLMNでVoLTE呼を開始し、VPLMNはVoLTE呼手順をサポートしていないと判断する。例えば、IMSコア・ネットワーク・デバイスが、VPLMNでVoLTE機能が一時的にアクティブ化されていないか、またはVPLMNとIMSが位置するHPLMNとの間でローミング協定が締結されていないと判断した後に、IMSコア・ネットワーク・デバイスは、VoLTE呼がCSFB呼に変換されるように、発呼側UEによって開始されたVoLTE呼要求を拒絶する。本出願の本実施形態における技術的解決策は、発呼側UEが、そのVoLTE機能が一時的にアクティブ化されていないVPLMNでVoLTE呼を開始するシナリオにおいて、発呼側音声セッションセットアップ段でCSFB呼を使用してVoLTEサービス呼を確実に置き換えられるようにするのに役立ち、UEによって開始された呼の成功率を保証する。加えて、UEはこのことに気付かず、それにより良好なユーザ体験が保証されうる。
【０１６７】
実施形態5
本出願の実施形態5では、UEはVoLTEサービスの着呼側UEであってよく、これに対応して、IMSコア・ネットワーク・デバイスは着呼側のI／S−CSCF、着呼側のSCC AS、または着呼側のP−CSCFである。
【０１６８】
図6は、本出願の実施形態5によるサービス処理方法の概略的流れ図である。図6に示すように、本方法は以下のステップを含む。
【０１６９】
ステップ601：着呼側のI／S−CSCFは、着呼側UEによって送信されたinviteメッセージを受信し、inviteメッセージを受信した後に、着呼側のI／S−CSCFをトリガして、着呼側UEの着呼側IMSセッションをセットアップさせる。
【０１７０】
ステップ602a：着呼側のI／S−CSCFは、着呼側のSCC ASにinviteメッセージを送信する。
【０１７１】
ステップ602b：着呼側のSCC ASは、着呼側ドメイン選択機能を行い、着呼側セッションにPSドメインを選択する。
【０１７２】
ステップ602c：着呼側のSCC ASは、着呼側のI／S−CSCFにinviteメッセージを送信する。
【０１７３】
ステップ603：着呼側のI／S−CSCFは、着呼側のP−CSCFにinviteメッセージを送信する。
【０１７４】
ステップ604a〜ステップ604c：着呼側のP−CSCFは、着呼側UEにinviteメッセージを転送し（ステップ604a）、着呼側UEは183応答メッセージを返し（ステップ604c）、続いて、183応答メッセージは、P−CSCFによって着呼側のI／S−CSCFと着呼側のSCC ASとに転送される。このプロセスにおいて、ネットワーク側は、音声専用ベアラ（QCI＝1）セットアッププロセスをさらにトリガしうる（ステップ604b）。
【０１７５】
ステップ605：UEが現在位置しているサービスネットワークがVoLTEサービスをサポートしていないと判断した後に、着呼側のSCC ASは、VoLTEサービスをセットアップできないと判断する。
【０１７６】
着呼側のSCC ASが、UEが現在位置しているサービスネットワークがVoLTEサービスをサポートしていないと判断することは、UEが位置しているVPLMNでVoLTEサービス機能がアクティブ化されていないか、またはUEが位置しているVPLMNとHPLMNとの間でVoLTEサービスローミング協定が締結されていないこと、を含む。
【０１７７】
具体的には、着呼側のSCC ASは、着呼側UEのIMS登録手順で着呼側のP−CSCFのアドレスを取得するか、または着呼側UEによって送信された183応答メッセージから着呼側のP−CSCFのアドレスを取得してよく、着呼側のP−CSCFのアドレスに基づいて、着呼側のP−CSCFが属するVPLMNを知る。着呼側のSCC ASが、VPLMNが、VoLTE機能がアクティブ化されているネットワークのホワイトリストに記載されていないか、VPLMNが、VoLTE機能がアクティブ化されていないネットワークのブラックリストに記載されているか、VPLMNとHPLMNとの間でVoLTEサービスローミング協定が締結されていないか、着呼側のP−CSCFが、VoLTEサービスをサポートしているネットワークのホワイトリストに記載されていないか、または着呼側のP−CSCFが、VoLTEサービスをサポートしていないネットワークのブラックリストに記載されていると判断した場合、着呼側のSCC ASは、UEが現在位置しているサービスネットワークがVoLTEサービスをサポートしていないと判断する。着呼側のSCC ASが、着呼側UEのIMS登録手順で着呼側のP−CSCFのアドレスを取得した場合、ステップ602でinviteメッセージを受信した後に、着呼側のSCC ASは本解決策を使用して、着呼側UEが位置しているVPLMNはHPLMNのVoLTEサービスをサポートしていないと判断し、すなわち、本解決策を使用してステップ602の後にステップ605の動作を直接行ってよく、ステップ603およびステップ604はスキップされうる。
【０１７８】
着呼側のSCC ASはまた、HSS／HLRから、着呼側UEが現在登録されているVPLMNを取得してもよい。具体的には、VPLMNは、MME識別子やAPNなどの情報要素に含まれうる。着呼側のSCC ASが、VPLMNが、VoLTE機能がアクティブ化されているネットワークのホワイトリストに記載されていないか、VPLMNが、VoLTE機能がアクティブ化されていないネットワークのブラックリストに記載されているか、またはVPLMNとHPLMNとの間でVoLTEサービスローミング協定が締結されていないと判断した場合、着呼側のSCC ASは、着呼側のP−CSCFが位置しているネットワーク（すなわち、VPLMN）がHPLMNのVoLTEサービスをサポートしていないと判断する。同様に、この場合、着呼側のSCC ASは、ステップ602の後に、本解決策を直接使用してS605の動作を行い、ステップ603およびステップ604はスキップされうる。
【０１７９】
ステップ605でVoLTEサービスをセットアップできるかどうかを判断するための動作は、ステップ601でinviteメッセージを受信した後に着呼側のI／S−CSCFによって行われてよく、具体的な実行プロセスはASの実行プロセスと同様であり、ここでは詳細を繰り返さないことに留意されたい。
【０１８０】
ステップ606：着呼側のSCC ASは、着呼側ドメイン選択デバイスに380／503応答メッセージを返す。任意選択で、着呼側のSCC ASによって着呼側ドメイン選択デバイスに送信される応答メッセージは別の応答メッセージであってもよく、380応答メッセージおよび503応答メッセージは単なる説明例として使用されている。具体的な送信応答メッセージは、事業者の構成情報などに基づいて設定されうる。
【０１８１】
着呼側のI／S−CSCFがステップ605の判断動作を行う場合、VoLTEサービスをセットアップできないと判断した後に、着呼側のI／S−CSCFは、着呼側ドメイン選択デバイスに380／503応答メッセージを送信することに留意されたい。
【０１８２】
任意選択で、着呼側のSCC ASは、ステップ606の前に、着呼側UEが回線交換ドメインに登録されているとさらに判断する必要がある。具体的な判断方法については、実施形態1を参照されたい。すなわち、着呼側のSCC ASは、UEが回線交換ドメインに登録されていると判断した場合にのみステップ606および後続の動作を行い、または、側UEが回線交換ドメインに登録されていないと判断された場合、ステップ606および後続の動作は行われない。
【０１８３】
任意選択で、着呼側のP−CSCFは、ステップ606の前に、着呼側UEが呼び出し準備状態（Pre-alerting状態）にあるとさらに判断する必要がある。すなわち、着呼側のP−CSCFは、着呼側UEが呼び出し準備状態にある場合にのみステップ606および後続の動作を行い、または、着呼側UEが呼び出し準備状態にないと判断された場合、ステップ606および後続の動作は行われない。このためユーザに気付かれない。
【０１８４】
ステップ607：ステップS604が行われる場合、VoLTEサービスをセットアップできないと判断した後に、着呼側のSCC ASは、VoLTEサービスに関連した要求されたセッションを取り消すように、着呼側UEに取り消し（cancel）メッセージを送信する。S606およびS607が行われる順序は限定されない。
【０１８５】
着呼側のI／S−CSCFがステップ605の動作を行う場合、S607も着呼側のI／S−CSCFによって行われるべきであることに留意されたい。
【０１８６】
ステップ608aおよびステップ608b：着呼側ドメイン選択デバイスは、着呼側セッションにCSドメインを再選択し、着呼側のI／S−CSCFなどのデバイスを介してCSドメイン呼制御デバイス（例えば、MSC）への呼を開始する。
【０１８７】
ステップ609：CSドメイン呼制御デバイス（例えば、MSC）は、SGsインターフェースを介してMMEへの呼を開始する。
【０１８８】
ステップ610：MMEは、着呼側UEのCSFB手順をトリガする。詳細な手順については、3GPP TS 23．272の関連した記述を参照されたく、ここでは詳細を述べない。着呼側UEのCSFB手順に基づき、着呼側UEは最終的にCSドメインで音声セッションをセットアップする。
【０１８９】
着呼側のP−CSCFは、ステップ603の後に、ステップ605の動作を行いうることに留意されたい。具体的には、ステップ605で、着呼側のP−CSCFは、着呼側のP−CSCF自体がVoLTEサービスをサポートしているかどうか、または着呼側のP−CSCFが位置しているVPLMNがVoLTEサービスをサポートしているかどうかを判断する必要がある。VoLTEサービスをセットアップできないと判断された場合、着呼側のP−CSCFは、ステップ606を直接行い、ステップ604からステップ607をスキップする。
【０１９０】
任意選択で、着呼側のP−CSCFは、ステップ606の前に、着呼側UEが回線交換ドメインに登録されているとさらに判断する必要がある。具体的な判断方法については、実施形態1を参照されたい。すなわち、着呼側のP−CSCFは、UEが回線交換ドメインに登録されていると判断した場合にのみステップ606および後続の動作を行い、または、側UEが回線交換ドメインに登録されていないと判断された場合、ステップ606および後続の動作は行われない。
【０１９１】
前述のプロセスにおいて、IMSコア・ネットワーク・デバイスは、VoLTEサービスの着呼側UEが位置しているVPLMNがVoLTE呼手順をサポートしていないと判断する。例えば、VPLMNでVoLTE機能が一時的にアクティブ化されていないか、またはVPLMNとIMSが位置するHPLMNとの間でローミング協定が締結されていないと判断した後に、IMSコア・ネットワーク・デバイスは、着呼側UEのCSFB呼手順をトリガするように、呼にCSドメインを再選択する。本出願の本実施形態における技術的解決策は、VoLTEサービスに加入しているUEが、VoLTE機能が一時的にアクティブ化されていないVPLMNで呼び出されるシナリオにおいて、着呼側音声セッションセットアップ段でCSFB着呼側呼を使用してVoLTEサービス着呼側呼を確実に置き換えられるようにするのに役立ち、UEの着呼側成功率を保証する。加えて、UEはこのことに気付かず、それにより良好なユーザ体験が保証されうる。
【０１９２】
実施形態6
本出願の実施形態6では、UEはVoLTEサービスの発呼側UEであってよく、これに対応して、IMSコア・ネットワーク・デバイスは発呼側のS−CSCF、発呼側のSCC AS、または発呼側のP−CSCFである。
【０１９３】
図7は、本出願の実施形態6によるサービス処理方法の概略的流れ図である。図7に示すように、本方法は以下のステップを含む。
【０１９４】
ステップ701：発呼側UEは、invite（invite）メッセージを送信することによってVoLTEサービスのセットアップを開始する。発呼側のP−CSCFは、発呼側UEからinviteメッセージを受信し、inviteメッセージを受信した後に、発呼側のP−CSCFをトリガして、発呼側UEの発呼側IMSセッションをセットアップさせる。
【０１９５】
ステップ702およびステップ703：発呼側のP−CSCFは、inviteメッセージを後続のIMSノードに送信する（例えば、IMSノードはS−CSCFまたはSCC ASであってよい）。
【０１９６】
ステップ704aおよびステップ704b：発呼側のP−CSCFは、音声専用ベアラ（QCI＝1）セットアッププロセスが失敗したと判断する。
【０１９７】
例えば、ステップ704aおよびステップ704bで、発呼側のP−CSCFは、音声専用ベアラのセットアップをトリガするように、EPCネットワークデバイス（例えば、PCRF）に認証許可要求（AAR、Authentication Authorization Request）を送信する。AARは、発呼側UEのユーザ識別子、IMSアプリケーション層課金識別子、メディア記述情報などを搬送しうる。メディア記述情報は、分類器識別子、帯域幅要件記述情報、メディアタイプ記述情報、およびQoSパラメータの各情報のうちの少なくとも1つを含みうる。
【０１９８】
発呼側のP−CSCFがAARメッセージを送信した後に、発呼側のP−CSCFが、EPCネットワーク機器（例えば、PCRF）によって送信された再認証要求（RAR、Re-authentication Request）メッセージ／セッション打切り要求（ASR、Abort-Session-Request）メッセージを受信した場合、RARメッセージ／ASRメッセージは、ベアラリソースの不十分性を指示するのに使用される指示情報またはリソース割り振り失敗を指示するのに使用される指示情報を搬送している可能性があり、発呼側のP−CSCFは、音声専用ベアラ（QCI＝1）セットアッププロセスが失敗したと判断しうる。
【０１９９】
任意選択で、発呼側のP−CSCFは、RARメッセージ／ASRメッセージから音声専用ベアラ（QCI＝1）セットアップ失敗の具体的な理由の値をさらに取得してもよく、例えば、原因値は、発呼側UEがPSドメインの弱いカバレッジエリア内にあることでありうる。
【０２００】
ステップ704aおよびステップ704bはまた、ステップ702またはステップ703の前に行われてもよく、前述のステップ番号は、単なる実行順序の例示的表現にすぎず、具体的な実行順序は、本出願の本実施形態では特に限定されないことに留意されたい。
【０２０１】
ステップ705：発呼側のP−CSCFは、発呼側UEに380／503応答メッセージを配信する。
【０２０２】
任意選択で、発呼側のP−CSCFは、ステップ705の前に、発呼側UEが回線交換ドメインに登録されているとさらに判断する必要がある。具体的な判断方法については、実施形態1を参照されたい。すなわち、発呼側のP−CSCFは、発呼側UEが回線交換ドメインに登録されていると判断した場合にのみステップ705および後続の動作を行い、または、発呼側UEが回線交換ドメインに登録されていないと判断された場合、ステップ705および後続の動作は行われない。
【０２０３】
本出願の本実施形態では、380／503応答メッセージは、現在のVoLTEサービスが利用できないことを指示するのに使用される。380／503応答メッセージは単なる説明例にすぎず、代替として別の名前の応答メッセージであってもよい。具体的には、発呼側のP−CSCFは、事業者のポリシーおよびUE構成情報に基づいて、どの応答メッセージを送信すべきか判断しうる。
【０２０４】
任意選択で、発呼側のP−CSCFは、ステップ705の前に、発呼側UEに対応する着呼側UEが呼び出し準備状態（Pre-alerting状態）にあるとさらに判断する必要がある。すなわち、発呼側のP−CSCFは、着呼側UEが呼び出し準備状態にある場合にのみステップ705および後続の動作を行い、または、着呼側UEが呼び出し準備状態にないと判断された場合、ステップ705および後続の動作は行われない。このためユーザに気付かれない。
【０２０５】
ステップ706：発呼側のP−CSCFによって送信された380／503メッセージを受信した後に、発呼側UEは、ドメイン選択を再度行い、CSFB呼を開始しうる。UE側とネットワーク側とは協調してCSFB手順を実施し、最終的にCSドメインで音声通話をセットアップする。
【０２０６】
前述のプロセスにおいて、IMSコア・ネットワーク・デバイスが、PSドメインで発呼側VoLTEサービスに対応する音声専用ベアラをセットアップできないと判断した後に、IMSコアネットワークは、VoLTE呼がCSFB呼に変換されるように、発呼側UEによって開始されたVoLTE呼要求を拒絶する。本出願の本実施形態における技術的解決策は、発呼側VoLTEサービスに対応する音声専用ベアラをセットアップできないシナリオにおいて、発呼側音声セッションセットアップ段でCSFB呼を使用してVoLTEサービス呼を確実に置き換えられるようにするのに役立ち、UEによって開始された呼の成功率を保証する。加えて、UEはこのことに気付かず、それにより良好なユーザ体験が保証されうる。
【０２０７】
実施形態7
本出願の実施形態7では、UEはVoLTEサービスの着呼側UEであり、これに対応して、IMSコア・ネットワーク・デバイスは着呼側のP−CSCFである。
【０２０８】
図8は、本出願の実施形態6によるサービス処理方法の概略的流れ図である。図7に示すように、本方法は以下のステップを含む。
【０２０９】
ステップ801：着呼側のI／S−CSCFが、着呼側UEによって送信されたinviteメッセージを受信し、inviteメッセージを受信した後に、着呼側のI／S−CSCFをトリガして、着呼側UEの着呼側IMSセッションをセットアップさせる。
【０２１０】
ステップ802：着呼側のI／S−CSCFは、着呼側のSCC ASにinviteメッセージを送信する。
【０２１１】
ステップ802a：着呼側のSCC ASは、着呼側ドメイン選択機能を行い、着呼側セッションにPSドメインを選択する。
【０２１２】
ステップ802b：着呼側のSCC ASは、着呼側のI／S−CSCFにinviteメッセージを送信する。
【０２１３】
ステップ803：着呼側のI／S−CSCFは、着呼側のP−CSCFにinviteメッセージを送信する。
【０２１４】
ステップ804a〜ステップ804c：着呼側のP−CSCFは、着呼側UEにinviteメッセージを転送し（ステップ804a）、着呼側UEは183応答メッセージを返し（ステップ804b）、続いて、183応答メッセージは、P−CSCFによって着呼側のI／S−CSCFと着呼側のSCC ASとに転送される。このプロセスにおいて、ネットワーク側は、音声専用ベアラ（QCI＝1）セットアッププロセスをさらにトリガしうる（ステップ804c）。
【０２１５】
ステップ805：着呼側のP−CSCFは、音声専用ベアラ（QCI＝1）セットアッププロセスが失敗したと判断する。
【０２１６】
例えば、ステップ804cで、着呼側のP−CSCFは、音声専用ベアラのセットアップをトリガするように、EPCネットワークデバイス（例えば、PCRF）に認証許可要求（AAR、Authentication Authorization Request）を送信する。AARは、着呼側UEのユーザ識別子、IMSアプリケーション層課金識別子、メディア記述情報などを搬送しうる。メディア記述情報は、分類器識別子、帯域幅要件記述情報、メディアタイプ記述情報、およびQoSパラメータの各情報のうちの少なくとも1つを含みうる。
【０２１７】
着呼側のP−CSCFがAARメッセージを送信した後に、着呼側のP−CSCFが、EPCネットワーク機器（例えば、PCRF）によって送信された再認証要求（RAR、Re-authentication Request）メッセージ／セッション打切り要求（ASR、Abort-Session-Request）メッセージを受信した場合、RARメッセージ／ASRメッセージは、ベアラリソースの不十分性を指示するのに使用される指示情報またはリソース割り振り失敗を指示するのに使用される指示情報を搬送している可能性があり、着呼側のP−CSCFは、音声専用ベアラ（QCI＝1）セットアッププロセスが失敗したと判断しうる。
【０２１８】
任意選択で、着呼側のP−CSCFは、RARメッセージ／ASRメッセージから音声専用ベアラ（QCI＝1）セットアップ失敗の具体的な理由の値をさらに取得してもよく、例えば、原因値は、着呼側UEがPSドメインの弱いカバレッジエリア内にあることでありうる。
【０２１９】
ステップ806：着呼側のP−CSCFは、着呼側のSCC ASに380／503応答メッセージを返し、380／503メッセージは、PSドメインでの着呼サービスセットアップ失敗を指示するのに使用される指示情報を含む。
【０２２０】
任意選択で、着呼側のP−CSCFによって着呼側のSCC ASに送信される応答メッセージは別の応答メッセージであってもよく、380応答メッセージおよび503応答メッセージは単なる説明例として使用されている。具体的な送信応答メッセージは、事業者の構成情報などに基づいて設定されうる。
【０２２１】
着呼側のP−CSCFは、着呼側のS−CSCFを介して着呼側のSCC ASに380／503応答メッセージを返しうることに留意されたい。
【０２２２】
任意選択で、着呼側のP−CSCFは、ステップ806の前に、着呼側UEが回線交換ドメインに登録されているとさらに判断する必要がある。具体的な判断方法については、実施形態1を参照されたい。すなわち、着呼側のP−CSCFは、UEが回線交換ドメインに登録されていると判断した場合にのみステップ806および後続の動作を行い、または、側UEが回線交換ドメインに登録されていないと判断された場合、ステップ806および後続の動作は行われない。
【０２２３】
任意選択で、着呼側のP−CSCFは、ステップ806の前に、着呼側UEが呼び出し準備状態（Pre-alerting状態）にあるとさらに判断する必要がある。すなわち、着呼側のP−CSCFは、着呼側UEが呼び出し準備状態にある場合にのみステップ806および後続の動作を行い、または、着呼側UEが呼び出し準備状態にないと判断された場合、ステップ806および後続の動作は行われない。このためユーザに気付かれない。
【０２２４】
ステップ807aおよびステップ807b：着呼側のSCC ASは、着呼側ドメイン選択機能を行い、着呼側セッションにCSドメインを再選択し、着呼側のI／S−CSCFなどのデバイスを使用してCSドメイン呼制御デバイス（例えば、MSC）への呼を開始する。
【０２２５】
ステップ808：CSドメイン呼制御デバイス（例えば、MSC）は、SGsインターフェースを介してMMEへの呼を開始する。
【０２２６】
ステップ809：MMEは、着呼側UEのCSFB手順をトリガする。詳細な手順については、3GPP TS 23．272の関連した記述を参照されたく、ここでは詳細を述べない。着呼側UEのCSFB手順に基づき、着呼側UEは最終的にCSドメインで音声セッションをセットアップする。
【０２２７】
前述のプロセスにおいて、IMSコア・ネットワーク・デバイスが、PSドメインで着呼側VoLTEサービスに対応する音声専用ベアラをセットアップできないと判断した場合、着呼側IMSコア・ネットワーク・デバイスは、着呼側UEのCSFB呼手順をトリガするように、着呼側セッションにCSドメインを再選択する。本出願の本実施形態における技術的解決策は、着呼側UE上で着呼側VoLTEサービスを行えない場合に、着呼側音声セッションセットアップ段でCSFB着呼側呼を使用してVoLTEサービス着呼側呼を確実に置き換えられうるようにするのに役立ち、UEの着呼側成功率を保証する。加えて、UEはこのことに気付かず、それにより良好なユーザ体験が保証されうる。
【０２２８】
前述の方法手順のために、本出願の本実施形態は、IMSコア・ネットワーク・デバイスをさらに提供する。本デバイスの具体的内容については、前述の方法実施形態を参照されたい。
【０２２９】
図9は、同じ概念に基づく、本出願の一実施形態によるIMSコア・ネットワーク・デバイスの概略的構造図である。IMSコア・ネットワーク・デバイス900は、前述の方法手順を行うように構成され、
パケット交換PSドメインでユーザ機器UEにボイス・オーバ・ロング・ターム・エボリューションVoLTE・サービスをセットアップするよう求める要求メッセージを受信するように構成される、送受信モジュール901と、
PSドメインでVoLTEサービスをセットアップできないと判断した後にUEの回線交換フォールバックCSFBサービスをトリガするように構成される、処理モジュール902と、
を含む。
【０２３０】
任意選択で、処理モジュール902は、PSドメインでVoLTEサービスをセットアップできないことを、
VoLTEサービスと関連付けられた少なくとも1つの付加サービスが取得され、その少なくとも1つの付加サービスが利用できないと判断された場合、
UEが現在位置しているサービスネットワークがVoLTEサービスをサポートしていないと判断された場合、および
PSドメインでのVoLTEサービスの音声ベアラのセットアップが失敗したと判断された場合、
のうちの少なくとも1つが存在すると判断することによって判断するように特に構成される。
【０２３１】
任意選択で、処理モジュール902は、VoLTEサービスと関連付けられた少なくとも1つの付加サービスを、
UEの加入情報に基づいて、VoLTEサービスと関連付けられた少なくとも1つの付加サービスを取得すること、または
UEによって送信された付加サービスセットアップ要求メッセージから、VoLTEサービスと関連付けられた少なくとも1つの付加サービスを取得すること、
によって取得する。
【０２３２】
任意選択で、処理モジュール902は、UEが現在位置しているサービスネットワークがVoLTEサービスをサポートしていないことを、UEが位置している在圏公衆陸上移動体網VPLMNでVoLTEサービス機能がアクティブ化されていないか、またはUEが位置しているVPLMNとホーム公衆陸上移動体網HPLMNとの間でVoLTEサービスローミング協定が締結されていないと判断すること、によって判断するように特に構成される。
【０２３３】
任意選択で、処理モジュール902は、UEが位置している在圏公衆陸上移動体網VPLMNでVoLTEサービス機能がアクティブ化されていないことを、
VPLMNが、VoLTEサービス機能がアクティブ化されているネットワークのホワイトリストに記載されていない場合、
VPLMNが、VoLTEサービス機能がアクティブ化されていないネットワークのブラックリストに記載されている場合、
VPLMNとホーム公衆陸上移動体網HPLMNとの間でVoLTEサービスローミング協定が締結されていない場合、
VPLMNのプロキシ呼セッション制御機能P−CSCFが、VoLTEサービス機能をサポートしているネットワークのホワイトリストに記載されていない場合、および
VPLMNのP−CSCFが、VoLTEサービス機能をサポートしていないネットワークのブラックリストに記載されている場合、
のうちの少なくとも1つが存在すると判断することによって判断するように特に構成される。
【０２３４】
任意選択で、処理モジュール902は、PSドメインでのVoLTEサービスの音声ベアラのセットアップが失敗したことを、
送受信モジュールを使用して再認証要求RARメッセージまたはセッション打切り要求ASRメッセージを受信すること、および
RARメッセージまたはASRメッセージが、ベアラリソースの不十分性を指示するのに使用される指示情報またはリソース割り振り失敗を指示するのに使用される指示情報を搬送していると判断された後に、PSドメインでのVoLTEサービスの音声ベアラのセットアップが失敗したと判断すること、
によって判断するように特に構成される。
【０２３５】
任意選択で、RARメッセージまたはASRメッセージは、VoLTEサービスの音声ベアラセットアップ失敗の原因値を含む。
【０２３６】
任意選択で、VoLTEサービスの音声ベアラセットアップ失敗のものである、RARメッセージまたはASRメッセージに含まれる原因値は、UEがPSドメインの弱いカバレッジエリア内にあることである。
【０２３７】
任意選択で、UEのCSFBサービスをトリガする前に、処理モジュール902は、
UEが回線交換ドメインに登録されていると判断する、
ようにさらに構成される。
【０２３８】
任意選択で、処理モジュールは、UEが回線交換ドメインに登録されていることを、
ホーム加入者サーバHSSまたはホーム・ロケーション・レジスタHLRから、UEが回線交換CSネットワークに登録した情報を取得すること、および
UEがCSネットワークに登録した情報に基づいて、UEが回線交換ドメインに登録されていると判断すること、
によって判断するように特に構成される。
【０２３９】
任意選択で、UEはVoLTEサービスの発呼側UEである。
【０２４０】
処理モジュール902は、UEのCSFBサービスを、
送受信モジュール901を使用して発呼側UEに第1のメッセージを送信することであって、第1のメッセージが発呼側UEをトリガして発呼側回線交換フォールバックCSFBサービスを開始させるのに使用される、こと、
によってトリガするように特に構成される。
【０２４１】
任意選択で、第1のメッセージは第1の原因値を含み、第1の原因値は発呼側UEにVoLTEサービスが利用できない具体的な理由を通知するのに使用される。
【０２４２】
任意選択で、送受信モジュール901を使用して発呼側UEに第1のメッセージを送信する前に、処理モジュール902は、
発呼側UEに対応する着呼側UEが呼び出し準備状態にあると判断する、
ようにさらに構成される。
【０２４３】
任意選択で、IMSコア・ネットワーク・デバイスは、発呼側のサービング呼セッション制御機能I／S−CSCF、発呼側のサービス集中および継続アプリケーションサーバSCC AS、または発呼側のプロキシ呼セッション制御機能P−CSCFである。
【０２４４】
任意選択で、UEはVoLTEサービスの着呼側UEである。
【０２４５】
処理モジュール902は、UEのCSFBサービスを、
送受信モジュール901を使用して着呼側ドメイン選択デバイスに第2のメッセージを送信することであって、第2のメッセージが、着呼側ドメイン選択デバイスが着呼側UEの着呼側回線交換フォールバックCSFBサービスをトリガするように、PSドメインでの着呼側サービスセットアップが失敗したことを指示するのに使用される、こと、
によってトリガするように特に構成される。
【０２４６】
任意選択で、第2のメッセージは第2の原因値を含み、第2の原因値は着呼側ドメイン選択デバイスに、PSドメインでの着呼側セットアップが失敗した具体的な理由を通知するのに使用される。
【０２４７】
任意選択で、送受信モジュール901を使用して着呼側ドメイン選択デバイスに第2のメッセージを送信する前に、処理モジュール902は、
着呼側UEが呼び出し準備状態にあると判断する、
ようにさらに構成される。
【０２４８】
任意選択で、IMSコア・ネットワーク・デバイスは、着呼側のサービング呼セッション制御機能I／S−CSCF、着呼側のサービス集中および継続アプリケーションサーバSCC AS、または着呼側のプロキシ呼セッション制御機能P−CSCFである。
【０２４９】
任意選択で、処理モジュール902が、送受信モジュール901を使用して着呼側ドメイン選択デバイスに第2のメッセージを送信することは、具体的には、
着呼側のP−CSCFの処理モジュール902が、着呼側のI／S−CSCFが第2のメッセージを着呼側ドメイン選択デバイスに転送するように、送受信モジュール901を使用して着呼側のI／S−CSCFに第2のメッセージを送信すること、
である。
【０２５０】
本出願の本実施形態では、IMSコア・ネットワーク・デバイスは、UEにVoLTEサービスをセットアップするよう求める要求メッセージを受信する。VoLTEサービスをセットアップできないと判断した後に、IMSコア・ネットワーク・デバイスは、VoLTEサービスのセットアップを再試行せずにVoLTEサービスをセットアップできない場合にUEのCSFBサービスを直接トリガするように、UEのCSFBサービスをトリガし、それにより、ユーザ機器の通話完了率が上がり、UEによって要求された音声サービスおよび付加サービスが保証され、良好なユーザ体験が保証され、UEがVoLTEサービスを使用して接続することができず、処理時間が無駄になるという技術的問題が回避される。
【０２５１】
図10は、同じ概念に基づく、本出願の一実施形態による別のIMSコア・ネットワーク・デバイスの概略的構造図である。IMSコア・ネットワーク・デバイス1000は、前述の方法手順を行うように構成され、通信インターフェース1001と、プロセッサ1002と、メモリ1003と、バスシステム1004とを含む。
【０２５２】
メモリ1003はプログラムを格納するように構成される。具体的には、プログラムはプログラムコードを含むことができ、プログラムコードは、コンピュータ操作命令を含む。メモリ1003は、ランダム・アクセス・メモリ（random access memory、略称RAM）であってもよく、不揮発性メモリ（non-volatile memory）、例えば、少なくとも1つの磁気ディスク記憶であってもよい。図にはただ1つのメモリが示されている。当然ながら、必要に応じて複数のメモリが構成されうる。メモリ1003は、代替として、プロセッサ1002内のメモリであってもよい。
【０２５３】
メモリ1003は、実行可能モジュールまたはデータ構造、またはそれらのサブセット、またはそれらの拡張セット、
様々な動作を実施するのに使用される、様々な動作命令を含む、動作命令、
様々な基本サービスを実施し、ハードウェアベースのタスクを処理するように構成される、様々なシステムプログラムを含む、オペレーティングシステム、
の各要素を格納する。
【０２５４】
プロセッサ1002は、IMSコア・ネットワーク・デバイス1000の動作を制御し、またプロセッサ1002は、CPU（Central Processing Unit、中央処理装置）とも呼ばれうる。具体的な適用時に、IMSコア・ネットワーク・デバイス1000のすべての構成要素は、バスシステム1004を使用して相互に結合される。バスシステム1004は、データバスに加えて、電源バス、制御バス、状況信号バスなどをさらに含みうる。しかし、説明を明確にするために、図では様々なタイプのバスがバスシステム1004として記されている。図10には、例示を容易にするために、バスシステムの一例が示されているにすぎない。
【０２５５】
本出願の前述の実施形態で開示された方法は、プロセッサ1002に適用されてもよく、プロセッサ1002によって実施されてもよい。プロセッサ1002は、集積回路チップとすることができ、信号処理能力を有する。一実施プロセスでは、前述の方法の各ステップは、プロセッサ1002内のハードウェアの集積論理回路またはソフトウェア形態の命令を使用して完了されうる。プロセッサ1002は、汎用プロセッサ、デジタル信号プロセッサ（DSP）、特定用途向け集積回路（ASIC）、フィールド・プログラマブル・ゲート・アレイ（FPGA）、または別のプログラマブル・ロジック・デバイス、ディスクリートゲートまたはトランジスタ・ロジック・デバイス、またはディスクリート・ハードウェア・コンポーネントであってよく、本出願の実施形態で開示された方法、ステップ、および論理ブロック図を実現または実行しうる。汎用プロセッサはマイクロプロセッサであってもよく、またはプロセッサは任意の従来のプロセッサなどであってもよい。本出願の実施形態で開示された方法の各ステップは、ハードウェア復号プロセッサによって直接実行されてもよく、復号プロセッサにおけるハードウェアとソフトウェアモジュールとの組み合わせによって実行されてもよい。ソフトウェアモジュールは、ランダム・アクセス・メモリ、フラッシュメモリ、読取り専用メモリ、プログラマブル読取り専用メモリ、電気的消去書込み可能メモリ、レジスタといった、当分野の成熟した記憶媒体に位置していてよい。記憶媒体はメモリ1003に位置する。プロセッサ1002はメモリ1003内の情報を読み取り、メモリのハードウェアと組み合わさって、
通信インターフェース1001を使用して、パケット交換PSドメインでユーザ機器UEにボイス・オーバ・ロング・ターム・エボリューションVoLTE・サービスをセットアップするよう求める要求メッセージを受信するステップと、
PSドメインでVoLTEサービスをセットアップできないと判断した後にUEの回線交換フォールバックCSFBサービスをトリガするステップと、
を行う。
【０２５６】
任意選択で、プロセッサ1002は、PSドメインでVoLTEサービスをセットアップできないことを、
VoLTEサービスと関連付けられた少なくとも1つの付加サービスが取得され、その少なくとも1つの付加サービスが利用できないと判断された場合、
UEが現在位置しているサービスネットワークがVoLTEサービスをサポートしていないと判断された場合、および
PSドメインでのVoLTEサービスの音声ベアラのセットアップが失敗したと判断された場合、
のうちの少なくとも1つが存在すると判断することによって判断するように特に構成される。
【０２５７】
任意選択で、プロセッサ1002は、VoLTEサービスと関連付けられた少なくとも1つの付加サービスを、
UEの加入情報に基づいて、VoLTEサービスと関連付けられた少なくとも1つの付加サービスを取得すること、または
UEによって送信された付加サービスセットアップ要求メッセージから、VoLTEサービスと関連付けられた少なくとも1つの付加サービスを取得すること、
によって取得する。
【０２５８】
任意選択で、プロセッサ1002は、UEが現在位置しているサービスネットワークがVoLTEサービスをサポートしていないことを、UEが位置している在圏公衆陸上移動体網VPLMNでVoLTEサービス機能がアクティブ化されていないか、またはUEが位置しているVPLMNとホーム公衆陸上移動体網HPLMNとの間でVoLTEサービスローミング協定が締結されていないと判断すること、によって判断するように特に構成される。
【０２５９】
任意選択で、プロセッサ1002は、UEが位置している在圏公衆陸上移動体網VPLMNでVoLTEサービス機能がアクティブ化されていないことを、
VPLMNが、VoLTEサービス機能がアクティブ化されているネットワークのホワイトリストに記載されていない場合、
VPLMNが、VoLTEサービス機能がアクティブ化されていないネットワークのブラックリストに記載されている場合、
VPLMNとホーム公衆陸上移動体網HPLMNとの間でVoLTEサービスローミング協定が締結されていない場合、
VPLMNのプロキシ呼セッション制御機能P−CSCFが、VoLTEサービス機能をサポートしているネットワークのホワイトリストに記載されていない場合、および
VPLMNのP−CSCFが、VoLTEサービス機能をサポートしていないネットワークのブラックリストに記載されている場合、
のうちの少なくとも1つが存在すると判断することによって判断するように特に構成される。
【０２６０】
任意選択で、プロセッサ1002は、PSドメインでのVoLTEサービスの音声ベアラのセットアップが失敗したことを、
通信インターフェース1001を使用して再認証要求RARメッセージまたはセッション打切り要求ASRメッセージを受信すること、および
RARメッセージまたはASRメッセージが、ベアラリソースの不十分性を指示するのに使用される指示情報またはリソース割り振り失敗を指示するのに使用される指示情報を搬送していると判断された後に、PSドメインでのVoLTEサービスの音声ベアラのセットアップが失敗したと判断すること、
によって判断するように特に構成される。
【０２６１】
任意選択で、RARメッセージまたはASRメッセージは、VoLTEサービスの音声ベアラセットアップ失敗の原因値を含む。
【０２６２】
任意選択で、VoLTEサービスの音声ベアラセットアップ失敗のものである、RARメッセージまたはASRメッセージに含まれる原因値は、UEがPSドメインの弱いカバレッジエリア内にあることである。
【０２６３】
任意選択で、UEのCSFBサービスをトリガする前に、プロセッサ1002は、
UEが回線交換ドメインに登録されていると判断する、
ようにさらに構成される。
【０２６４】
任意選択で、プロセッサ1002は、UEが回線交換ドメインに登録されていることを、
ホーム加入者サーバHSSまたはホーム・ロケーション・レジスタHLRから、UEが回線交換CSネットワークに登録した情報を取得すること、および
UEがCSネットワークに登録した情報に基づいて、UEが回線交換ドメインに登録されていると判断すること、
によって判断するように特に構成される。
【０２６５】
任意選択で、UEはVoLTEサービスの発呼側UEである。
【０２６６】
プロセッサ1002は、UEのCSFBサービスを、
通信インターフェース1001を使用して発呼側UEに第1のメッセージを送信することであって、第1のメッセージが発呼側UEをトリガして発呼側回線交換フォールバックCSFBサービスを開始させるのに使用される、こと、
によってトリガするように特に構成される。
【０２６７】
任意選択で、第1のメッセージは第1の原因値を含み、第1の原因値は発呼側UEにVoLTEサービスが利用できない具体的な理由を通知するのに使用される。
【０２６８】
任意選択で、通信インターフェース1001を使用して発呼側UEに第1のメッセージを送信する前に、プロセッサ1002は、
発呼側UEに対応する着呼側UEが呼び出し準備状態にあると判断する、
ようにさらに構成される。
【０２６９】
任意選択で、IMSコア・ネットワーク・デバイスは、発呼側のサービング呼セッション制御機能I／S−CSCF、発呼側のサービス集中および継続アプリケーションサーバSCC AS、または発呼側のプロキシ呼セッション制御機能P−CSCFである。
【０２７０】
任意選択で、UEはVoLTEサービスの着呼側UEである。
【０２７１】
プロセッサ1002は、UEのCSFBサービスを、
通信インターフェース1001を使用して着呼側ドメイン選択デバイスに第2のメッセージを送信することであって、第2のメッセージが、着呼側ドメイン選択デバイスが着呼側UEの着呼側回線交換フォールバックCSFBサービスをトリガするように、PSドメインでの着呼側サービスセットアップが失敗したことを指示するのに使用される、こと、
によってトリガするように特に構成される。
【０２７２】
任意選択で、第2のメッセージは第2の原因値を含み、第2の原因値は着呼側ドメイン選択デバイスに、PSドメインでの着呼側セットアップが失敗した具体的な理由を通知するのに使用される。
【０２７３】
任意選択で、通信インターフェース1001を使用して着呼側ドメイン選択デバイスに第2のメッセージを送信する前に、プロセッサ1002は、
着呼側UEが呼び出し準備状態にあると判断する、
ようにさらに構成される。
【０２７４】
任意選択で、IMSコア・ネットワーク・デバイスは、着呼側のサービング呼セッション制御機能I／S−CSCF、着呼側のサービス集中および継続アプリケーションサーバSCC AS、または着呼側のプロキシ呼セッション制御機能P−CSCFである。
【０２７５】
任意選択で、プロセッサ1002が、通信インターフェース1001を使用して着呼側ドメイン選択デバイスに第2のメッセージを送信することは、具体的には、
着呼側のP−CSCFのプロセッサ1002が、着呼側のI／S−CSCFが第2のメッセージを着呼側ドメイン選択デバイスに転送するように、通信インターフェース1001を使用して着呼側のI／S−CSCFに第2のメッセージを送信すること、
である。
【０２７６】
以上から分かるように、本出願の本実施形態では、IMSコア・ネットワーク・デバイスは、UEにVoLTEサービスをセットアップするよう求める要求メッセージを受信する。VoLTEサービスをセットアップできないと判断した後に、IMSコア・ネットワーク・デバイスは、VoLTEサービスのセットアップを再試行せずにVoLTEサービスをセットアップできない場合にUEのCSFBサービスを直接トリガするように、UEのCSFBサービスをトリガし、それにより、ユーザ機器の通話完了率が上がり、UEによって要求された音声サービスおよび付加サービスが保証され、良好なユーザ体験が保証され、UEがVoLTEサービスを使用して接続することができず、処理時間が無駄になるという技術的問題が回避される。
【０２７７】
本出願の各実施形態は、方法、システム、またはコンピュータプログラム製品として提供することができることを当業者は理解するはずである。したがって、本出願は、ハードウェアのみの実施形態、ソフトウェアのみの実施形態、またはソフトウェアとハードウェアの組み合わせによる実施形態の形態を用いることができる。加えて、本出願は、コンピュータ使用可能プログラムコードを含む（ディスクメモリ、光メモリなどを含むがこれに限定されない）1つまたは複数のコンピュータ使用可能記憶チャネル上に実装されたコンピュータプログラム製品の形態を用いることもできる。
【０２７８】
本出願は、本出願の実施形態による方法、デバイス（システム）、およびコンピュータプログラム製品の流れ図および／またはブロック図を参照して説明されている。コンピュータプログラム命令は、流れ図および／またはブロック図内の各プロセスおよび／または各ブロック、ならびに流れ図および／またはブロック図内のプロセスおよび／またはブロックの組み合わせを実現するのに使用されうることを理解されたい。これらのコンピュータプログラム命令は、汎用コンピュータ、専用コンピュータ、組み込みプロセッサ、または任意の他のプログラマブルデータ処理デバイスのプロセッサが機械命令を生成するために提供されうるものであり、このため、これらの命令がコンピュータまたは任意の他のプログラマブルデータ処理デバイスのプロセッサによって実行されることにより、流れ図内の1もしくは複数のプロセスおよび／またはブロック図内の1もしくは複数のブロックにおける特定の機能を実現するための装置が生成される。
【０２７９】
これらのコンピュータプログラム命令は、コンピュータまたは任意の他のプログラマブルデータ処理デバイスに特定の方法で動作するよう命令することができるコンピュータ可読メモリに格納することができ、このため、コンピュータ可読メモリに格納されたこれらの命令は命令装置を含む製品を生成する。命令装置は、流れ図内の1もしくは複数のプロセスおよび／またはブロック図内の1もしくは複数のブロックにおける特定の機能を実現する。
【０２８０】
これらのコンピュータプログラム命令は、コンピュータまたは任意の他のプログラマブルデータ処理デバイスにロードされてよく、これにより、一連の動作およびステップがコンピュータまたは別のプログラマブルデバイス上で行われて、コンピュータ実装処理が生成される。したがって、命令がコンピュータまたは別のプログラマブルデバイス上で実行されることにより、流れ図内の1もしくは複数のプロセスおよび／またはブロック図内の1もしくは複数のブロックにおける特定の機能を実現するためのステップが提供される。
【０２８１】
当業者が、本出願の範囲を逸脱することなく本出願に様々な改変および変形を加えることができることは明らかである。本出願は、本出願のこれらの改変および変形が添付の本出願の特許請求の範囲によって定義される保護の範囲内に含まれる限りにおいて、これらの改変および変形を包含すべきものである。
【符号の説明】
【０２８２】
900  IMSコア・ネットワーク・デバイス
901  送受信モジュール
902  処理モジュール
1000  IMSコア・ネットワーク・デバイス
1001  通信インターフェース
1002  プロセッサ
1003  メモリ
1004  バスシステム
【図１】
2019517757.tif 000003
【図２】
2019517757.tif 000004
【図３】
2019517757.tif 000005
【図４】
2019517757.tif 000006
【図５】
2019517757.tif 000007
【図６】
2019517757.tif 000008
【図７】
2019517757.tif 000009
【図８】
2019517757.tif 000010
【図９】
2019517757.tif 000011
【図１０】
2019517757.tif 000012
【手続補正書】
【提出日】平成30年12月10日(2018.12.10)
【手続補正１】
【補正対象書類名】明細書
【補正対象項目名】００９８
【補正方法】変更
【補正の内容】
【００９８】
実施形態1
本出願の実施形態1をIMSコア・ネットワーク・デバイスの観点から説明する。IMSコア・ネットワーク・デバイスは、問い合わせ／サービング呼セッション制御機能I／S−CSCF、サービス集中および継続アプリケーションサーバSCC AS、またはプロキシ呼セッション制御機能P−CSCFであってよい。
【手続補正２】
【補正対象書類名】明細書
【補正対象項目名】０１０９
【補正方法】変更
【補正の内容】
【０１０９】
本出願の本実施形態では、UEが発呼側UEである例では、発呼側UEによって送信されたVoLTEサービス要求メッセージを受信した後に、発呼側のIMSコア・ネットワーク・デバイスは、発呼側のIMSコア・ネットワーク・デバイスがVoLTEサービスをセットアップできないと判断した場合に、発呼側UEにVoLTEサービスが利用できないことを通知することが分かる。先行技術のプロセスと比較すると、発呼側UEは、VoLTEサービス要求を開始した後に、VoLTEサービスが利用できないという、発呼側UEに対応する発呼側のIMSコア・ネットワーク・デバイスによって送信された応答メッセージを発呼側UEが受信した場合、CSドメインで音声通話サービスをセットアップするように、CSFB発呼プロセスを自動的にトリガすることができ、それにより、VoLTEサービスに加入しているユーザが、VoLTE機能がアクティブ化されていないサービスネットワークにローミングしていることが原因でVoLTE呼が失敗しうるという問題が実際上回避される。これにより、ユーザのVoLTEサービスの安定性が向上する。加えて、ユーザがIMSネットワークで実施できない付加サービスがCSネットワークで実施されうる。これにより、ユーザサービス体験が向上する。例えば、現在のところ、多くの事業者によってセットアップされたIMSネットワークはVoLTE音声サービスを提供するにすぎず、元の従来のCSネットワークが提供できる多くの付加サービスをIMSネットワークにおいてサポートすることができないという問題が依然として存在している。別の例として、事業者の中には、VoLTE機能をユーザに対して十分にアクティブ化しておらず、VoLTE機能をごく少数のサブネットワークのみでアクティブ化しているものもあり、この状況が長期にわたって続く可能性がある。したがって、これらのシナリオでは、UEがVoLTEサービスを正常にセットアップできないことがある。ゆえに、通話サービスの安定性に影響を及ぼし、またはたとえVoLTEサービスをセットアップできたとしてもユーザサービス体験は理想的にならない。本出願の本実施形態では、前述のシナリオにおいて、UEは、CSネットワークにフォールバックして音声通話を開始することができ、それにより、通話サービスの安定性が実際上向上し、ユーザ体験が向上する。
【手続補正３】
【補正対象書類名】明細書
【補正対象項目名】０１１７
【補正方法】変更
【補正の内容】
【０１１７】
任意選択で、付加サービスは、UE側によって能動的に開始される場合もある。例えば、発呼側UEがVoLTE呼をセットアップするよう要求するinviteメッセージを開始するプロセス（具体的には、このプロセスは、発呼側UEがVoLTE呼を要求するinviteメッセージを送信したが、呼び出し応答を受信していないことでありうる）において、発呼側UEは、ユーザ命令に基づいて、ネットワーク側に、協調していくつかの付加サービス（LCS、位置サービス）を行うよう能動的に要求する。この場合、発呼側UEは、inviteメッセージを再送し（すなわち、付加サービスを求める要求メッセージをセットアップし）、再送されたinviteメッセージは、IMSネットワーク側に、付加サービスを行うよう要求するのに使用される。発呼側のSCC ASは、発呼側UEによって再送されたinviteメッセージに基づいて、inviteメッセージ中の要求された付加サービスをIMSネットワークがサポートできるかどうかを判断する。例えば、発呼側のSCC ASが、発呼側UEによって再送されたinviteメッセージ中のセッション記述プロトコル（Session Description Protocol、SDP）提案に記載された1つまたは複数の付加サービスに対応するメディア要求を満たすことができないと判断した場合、発呼側のSCC ASは、付加サービスがサポートされておらず、VoLTEサービスをセットアップすることができないと判断しうる。ステップ304でVoLTEサービスをセットアップできるかどうかを判断するための動作は、発呼側のI／S−CSCFによって行われてよく、具体的な実行プロセスは、SCC ASの実行プロセスと同様であり、ここでは詳細を繰り返さないことに留意されたい。
【手続補正４】
【補正対象書類名】明細書
【補正対象項目名】０１３８
【補正方法】変更
【補正の内容】
【０１３８】
ステップ405でVoLTEサービスをセットアップできるかどうかを判断するための動作は、ステップ401でinviteメッセージを受信した後に着呼側のI／S−CSCFによって行われてよく、具体的な実行プロセスはSCC ASの実行プロセスと同様であり、ここでは詳細を繰り返さないことに留意されたい。
【手続補正５】
【補正対象書類名】明細書
【補正対象項目名】０１５８
【補正方法】変更
【補正の内容】
【０１５８】
ステップ504でVoLTEサービスをセットアップできるかどうかを判断するための動作は、発呼側のS−CSCFによって行われてよく、具体的な実行プロセスは、SCC ASの実行プロセスと同様であり、ここでは詳細を繰り返さないことに留意されたい。
【手続補正６】
【補正対象書類名】明細書
【補正対象項目名】０１７９
【補正方法】変更
【補正の内容】
【０１７９】
ステップ605でVoLTEサービスをセットアップできるかどうかを判断するための動作は、ステップ601でinviteメッセージを受信した後に着呼側のI／S−CSCFによって行われてよく、具体的な実行プロセスはSCC ASの実行プロセスと同様であり、ここでは詳細を繰り返さないことに留意されたい。
【手続補正７】
【補正対象書類名】明細書
【補正対象項目名】０２０８
【補正方法】変更
【補正の内容】
【０２０８】
図8は、本出願の実施形態7によるサービス処理方法の概略的流れ図である。図8に示すように、本方法は以下のステップを含む。
【手続補正８】
【補正対象書類名】特許請求の範囲
【補正対象項目名】全文
【補正方法】変更
【補正の内容】
【特許請求の範囲】
【請求項１】
サービス処理方法であって、
インターネット・プロトコル・マルチメディア・サブシステム（IMS）・コア・ネットワーク・デバイスにより、パケット交換（PS）ドメインでユーザ機器（UE）にボイス・オーバ・ロング・ターム・エボリューション（VoLTE）・サービスをセットアップするよう求める要求を受信するステップと、
前記IMSコア・ネットワーク・デバイスにより、前記PSドメインで前記VoLTEサービスをセットアップできないと判断した後に、前記UEの回線交換フォールバック（CSFB）サービスをトリガするステップと、
を含む方法。
【請求項２】
前記UEが前記VoLTEサービスの発呼側UEであり、
前記IMSコア・ネットワーク・デバイスにより、前記UEのCSFBサービスをトリガする前記ステップが、
前記IMSコア・ネットワーク・デバイスにより、前記発呼側UEに第1のメッセージを送信するステップであって、前記第1のメッセージが前記発呼側UEをトリガしてCSFBサービスを開始させるのに使用される、ステップ、
を含む、請求項1に記載の方法。
【請求項３】
前記第1のメッセージが第1の原因値を含み、前記第1の原因値が前記発呼側UEに、前記VoLTEサービスが利用できない理由を通知するのに使用される、請求項2に記載の方法。
【請求項４】
前記IMSコア・ネットワーク・デバイスにより、前記発呼側UEに第1のメッセージを送信する前記ステップの前に、前記方法が、
前記IMSコア・ネットワーク・デバイスにより、前記発呼側UEに対応する着呼側UEが呼び出し準備状態にあると判断するステップ、
をさらに含む、請求項3に記載の方法。
【請求項５】
前記IMSコア・ネットワーク・デバイスが、発呼側のプロキシ呼セッション制御機能（P−CSCF）である、請求項2から4のいずれか一項に記載の方法。
【請求項６】
前記UEが前記VoLTEサービスの着呼側UEであり、
前記IMSコア・ネットワーク・デバイスにより、前記UEのCSFBサービスをトリガする前記ステップが、
前記IMSコア・ネットワーク・デバイスにより、着呼側ドメイン選択デバイスに第2のメッセージを送信するステップであって、前記第2のメッセージが、前記PSドメインでの着呼側サービスセットアップが失敗したことを指示し、前記着呼側ドメイン選択デバイスが前記着呼側UEのCSFBサービスをトリガすることを指示するのに使用される、ステップ、
をさらに含む、請求項1に記載の方法。
【請求項７】
前記第2のメッセージが第2の原因値を含み、前記第2の原因値が前記着呼側ドメイン選択デバイスに、前記PSドメインでの前記着呼側サービスセットアップが失敗した理由を通知するのに使用される、請求項6に記載の方法。
【請求項８】
前記IMSコア・ネットワーク・デバイスにより、着呼側ドメイン選択デバイスに第2のメッセージを送信する前記ステップの前に、前記方法が、
前記IMSコア・ネットワーク・デバイスにより、前記着呼側UEが呼び出し準備状態にあると判断するステップ、
をさらに含む、請求項6に記載の方法。
【請求項９】
前記IMSコア・ネットワーク・デバイスが、着呼側のプロキシ呼セッション制御機能（P−CSCF）である、請求項6から8のいずれか一項に記載の方法。
【請求項１０】
前記IMSコア・ネットワーク・デバイスにより、着呼側ドメイン選択デバイスに第2のメッセージを送信する前記ステップが、
前記着呼側の前記P−CSCFにより、前記着呼側のサービング呼セッション制御機能（S−CSCF）によって前記第2のメッセージを前記着呼側ドメイン選択デバイスに送信するステップ、
を含む、請求項9に記載の方法。
【請求項１１】
前記PSドメインで前記VoLTEサービスをセットアップできないと判断することが、
前記IMSコア・ネットワーク・デバイスにより、前記PSドメインでの前記VoLTEサービスの音声ベアラのセットアップが失敗したと判断すること、
を含む、請求項1から10のいずれか一項に記載の方法。
【請求項１２】
前記IMSコア・ネットワーク・デバイスにより、前記PSドメインでの前記VoLTEサービスの音声ベアラのセットアップが失敗したと判断することが、
前記IMSコア・ネットワーク・デバイスにより、再認証要求（RAR）メッセージまたはセッション打切り要求（ASR）メッセージを受信することと、
前記RARメッセージまたは前記ASRメッセージが、ベアラリソースの不十分性を指示するのに使用される指示情報またはリソース割り振り失敗を指示するのに使用される指示情報を搬送していると判断した後に、前記IMSコア・ネットワーク・デバイスにより、前記PSドメインでの前記VoLTEサービスの音声ベアラの前記セットアップが失敗したと判断することと、
を含む、請求項11に記載の方法。
【請求項１３】
前記RARメッセージまたは前記ASRメッセージが、前記VoLTEサービスの音声ベアラの前記セットアップの失敗の原因値を含む、請求項12に記載の方法。
【請求項１４】
前記VoLTEサービスの音声ベアラの前記セットアップの失敗のものである、前記RARメッセージまたは前記ASRメッセージに含まれる前記原因値が、前記UEが前記PSドメインの弱いカバレッジエリア内にあることである、請求項13に記載の方法。
【請求項１５】
インターネット・プロトコル・マルチメディア・サブシステム（IMS）・コア・ネットワーク・デバイスであって、前記IMSコア・ネットワーク・デバイスが、通信インターフェースと、プロセッサとを含み、
前記通信インターフェースが、パケット交換（PS）ドメインでユーザ機器（UE）にボイス・オーバ・ロング・ターム・エボリューション（VoLTE）・サービスをセットアップするよう求める要求メッセージを受信するように構成され、
前記プロセッサが、前記PSドメインで前記VoLTEサービスをセットアップできないと判断した後に、前記UEの回線交換フォールバック（CSFB）サービスをトリガするように構成される、IMSコア・ネットワーク・デバイス。
【請求項１６】
前記UEが前記VoLTEサービスの発呼側UEであり、
前記プロセッサが、前記UEの前記CSFBサービスを、
前記通信インターフェースを使用して前記発呼側UEに第1のメッセージを送信することであって、前記第1のメッセージが前記発呼側UEをトリガしてCSFBサービスを開始させるのに使用される、こと、
によってトリガするように特に構成される、請求項15に記載のIMSコア・ネットワーク・デバイス。
【請求項１７】
前記第1のメッセージが第1の原因値を含み、前記第1の原因値が前記発呼側UEに、前記VoLTEサービスが利用できない理由を通知するのに使用される、請求項16に記載のIMSコア・ネットワーク・デバイス。
【請求項１８】
前記プロセッサが、
前記通信インターフェースを介して前記発呼側UEに前記第1のメッセージを送信する前に、前記発呼側UEに対応する着呼側UEが呼び出し準備状態にあると判断する、
ようにさらに構成される、請求項16に記載のIMSコア・ネットワーク・デバイス。
【請求項１９】
前記IMSコア・ネットワーク・デバイスが、発呼側のプロキシ呼セッション制御機能（P−CSCF）である、請求項16から18のいずれか一項に記載のIMSコア・ネットワーク・デバイス。
【請求項２０】
前記UEが前記VoLTEサービスの着呼側UEであり、
前記プロセッサが、前記UEの前記CSFBサービスを、
前記通信インターフェースを使用して着呼側ドメイン選択デバイスに第2のメッセージを送信することであって、前記第2のメッセージが、前記PSドメインでの着呼側サービスセットアップが失敗したことを指示し、前記着呼側ドメイン選択デバイスが前記着呼側UEのCSFBサービスをトリガすることを指示するのに使用される、こと、
によってトリガするように特に構成される、請求項15に記載のIMSコア・ネットワーク・デバイス。
【請求項２１】
前記第2のメッセージが第2の原因値を含み、前記第2の原因値が前記着呼側ドメイン選択デバイスに、前記PSドメインでの前記着呼側サービスセットアップが失敗した理由を通知するのに使用される、請求項20に記載のIMSコア・ネットワーク・デバイス。
【請求項２２】
前記プロセッサが、
前記通信インターフェースを介して前記着呼側ドメイン選択デバイスに前記第2のメッセージを送信する前に、前記着呼側UEが呼び出し準備状態にあると判断する、
ようにさらに構成される、請求項20に記載のIMSコア・ネットワーク・デバイス。
【請求項２３】
前記IMSコア・ネットワーク・デバイスが、着呼側のプロキシ呼セッション制御機能（P−CSCF）である、請求項20から22のいずれか一項に記載のIMSコア・ネットワーク・デバイス。
【請求項２４】
前記プロセッサが、
前記着呼側のサービング呼セッション制御機能（S−CSCF）によって前記第2のメッセージを前記着呼側ドメイン選択デバイスに送信する、
ように特に構成される、請求項23に記載のIMSコア・ネットワーク・デバイス。
【請求項２５】
前記プロセッサが、前記PSドメインで前記VoLTEサービスをセットアップできないことを、
前記PSドメインでの前記VoLTEサービスの音声ベアラのセットアップが失敗したと判断すること、
によって判断するように特に構成される、請求項15から24のいずれか一項に記載のIMSコア・ネットワーク・デバイス。
【請求項２６】
前記プロセッサが、前記PSドメインでの前記VoLTEサービスの音声ベアラの前記セットアップが失敗したことを、
前記通信インターフェースを使用して再認証要求（RAR）メッセージまたはセッション打切り要求（ASR）メッセージを受信することと、
前記RARメッセージまたは前記ASRメッセージが、ベアラリソースの不十分性を指示するのに使用される指示情報またはリソース割り振り失敗を指示するのに使用される指示情報を搬送していると判断された後に、前記PSドメインでの前記VoLTEサービスの音声ベアラの前記セットアップが失敗したと判断することと、
によって判断するように特に構成される、請求項25に記載のIMSコア・ネットワーク・デバイス。
【請求項２７】
前記RARメッセージまたは前記ASRメッセージが、前記VoLTEサービスの音声ベアラの前記セットアップの失敗の原因値を含む、請求項26に記載のIMSコア・ネットワーク・デバイス。
【請求項２８】
前記VoLTEサービスの音声ベアラの前記セットアップの失敗のものである、前記RARメッセージまたは前記ASRメッセージに含まれる前記原因値が、前記UEが前記PSドメインの弱いカバレッジエリア内にあることである、請求項27に記載のIMSコア・ネットワーク・デバイス。
【請求項２９】
サービス処理方法であって、
ユーザ機器により、音声サービスをセットアップするよう求める要求メッセージをインターネット・プロトコル・マルチメディア・サブシステム（IMS）・コア・ネットワーク・デバイスに送信するステップと、
前記ユーザ機器により、前記IMSコア・ネットワーク・デバイスが前記音声サービスの音声ベアラのセットアップが失敗したと判断した後に、前記IMSコア・ネットワーク・デバイスから第1のメッセージを受信するステップであって、前記第1のメッセージが、回線交換フォールバック（CSFB）サービスを開始するように前記ユーザ機器をトリガするためのものである、ステップと、
前記ユーザ機器により、前記第1のメッセージに従ってCSFB呼を開始するステップと、
を含む方法。
【請求項３０】
前記第1のメッセージが第1の原因値を含み、前記第1の原因値が前記ユーザ機器に、前記音声サービスが利用できない理由を通知するのに使用される、請求項29に記載の方法。
【請求項３１】
ユーザ機器であって、前記ユーザ機器が、プロセッサと、メモリとを含み、前記メモリが、プログラムコードを含むプログラムを記録しており、前記プログラムコードが、動作を実行するように前記プロセッサに命令するコンピュータ動作命令を含み、前記動作が、
音声サービスをセットアップするよう求める要求メッセージをインターネット・プロトコル・マルチメディア・サブシステム（IMS）・コア・ネットワーク・デバイスに送信する動作と、
前記IMSコア・ネットワーク・デバイスが前記音声サービスの音声ベアラのセットアップが失敗したと判断した後に、前記IMSコア・ネットワーク・デバイスから第1のメッセージを受信する動作であって、前記第1のメッセージが、回線交換フォールバック（CSFB）サービスを開始するように前記ユーザ機器をトリガするためのものである、動作と、
前記第1のメッセージに従ってCSFB呼を開始する動作と、
を含む、ユーザ機器。
【請求項３２】
前記第1のメッセージが第1の原因値を含み、前記第1の原因値が前記ユーザ機器に、前記音声サービスが利用できない理由を通知するのに使用される、請求項31に記載のユーザ機器。
【請求項３３】
コンピュータによって実行されたとき、請求項1から14のいずれか一項に記載の方法を前記コンピュータに実行させる命令を含むコンピュータプログラム。
【国際調査報告】
2019517757.tif 000013
2019517757.tif 000014
2019517757.tif 000015
2019517757.tif 000016